(57)【要約】【課題】  特別遊技を実施することができる権利を獲得すると、次のゲーム以降の実施結果が所定の条件を満たすと、この特別遊技の権利を獲得したゲームを実施可能にする。【解決手段】  雀球遊技機のゲーム制御手段は、通常遊技のゲームの実施結果による上がり役が特別遊技役役の権利を獲得することができる上がり役と一致すると、特別遊技役の権利が仮確定したと判定する。そして、この特別遊技の権利が仮確定したゲームの次のゲーム以降に実施されたゲームの実施結果が所定の条件を満たすと、仮確定と判定した特別遊技役の権利を確定と判定する。そして、ゲーム制御手段は、特別遊技の権利が確定したと判定したゲームの次のゲームを、特別遊技役のゲームとしてゲームの進行を制御する。【選択図】  図１５
2010046392.tif 000002
【特許請求の範囲】
【請求項１】
複数種の牌の図柄に対応する入球口が配置された遊技盤と、ゲーム開始時に当該ゲームの手牌となる配牌を決定する自動配牌手段と、前記遊技盤に発射した遊技球が入球した前記入球口に対応する牌の図柄を自摸操作による自摸牌として表示装置の手牌表示部に表示する自摸操作手段と、前記手牌表示部に表示された手牌の図柄から不要な図柄を捨て牌操作するための捨て牌操作手段と、前記自摸牌操作により得た図柄を加えた前記手牌の図柄の組合せが予め設定された上がり役の図柄の組合せを完成させたか否かを判定する上がり役判定手段と、通常遊技のゲームの開始時に該通常遊技に比べて遊技者に有利な特別遊技役の権利を獲得することができる上がり役を決定する特別遊技役決定手段と、ゲームの進行を制御するゲーム制御手段と、を備えた雀球遊技機であって、
前記ゲーム制御手段は、
前記通常遊技のゲームの実施による前記上がり役が前記特別遊技役の権利を獲得することができる上がり役と一致すると、前記特別遊技役の権利が仮確定したと判定する特別遊技仮確定手段と、
前記特別遊技役の権利が仮確定したと判定されたゲームの次のゲーム以降に実施された仮確定ゲームの実施結果が、所定の条件を満たすと、前記仮確定したと判定した前記特別遊技役の権利を確定と判定する特別遊技確定手段と、を備え、
前記ゲーム制御手段は、前記特別遊技役の権利が確定したと判定したゲームの次のゲームを、前記特別遊技役のゲームとして制御することを特徴とする雀球遊技機。
【請求項２】
前記特別遊技確定手段が前記特別遊技役の権利が確定したと判定する前記所定の条件は、前記仮確定ゲームの実施結果に基づく連続上がり回数が所定の値に達することを条件として設定されていることを特徴とする請求項１に記載の雀球遊技機。
【請求項３】
前記連続上がり回数は、前記仮確定ゲームの初回のゲームからの連続上がり回数として設定されていることを特徴とする請求項２に記載の雀球遊技機。
【請求項４】
前記ゲーム制御手段は、「１」以上であって所定の整数値以下の整数の一つを任意に選択する整数選択手段を備え、
前記連続上がり回数は、前記仮確定ゲームごとに前記整数選択手段が選択した前記整数値として設定されることを特徴とする請求項２又は請求項３に記載の雀球遊技機。
【請求項５】
前記ゲーム制御手段は、前記仮確定ゲームの実施結果が流局と判定すると、前記流局と判定した次のゲームを、前記通常遊技のゲームとして制御することを特徴とする請求項１に記載の雀球遊技機。
【発明の詳細な説明】
【技術分野】
【０００１】
本発明は遊技球を使用した雀球遊技機に係り、特に、通常遊技を実施したときにゲームごとに設定された特定の上がり役を完成させると、遊技者は通常遊技に比べて有利な特別遊技の権利を獲得することができる機能を備えた雀球遊技機に関する。
【背景技術】
【０００２】
従来の雀球遊技機は、複数種類の麻雀牌（以下、牌という）の図柄に対応した複数の入球口が配設された遊技盤と、この遊技盤内に遊技（以下、ゲームという）を実施するために所定の個数の遊技球を発射するための遊技球発射装置と、ゲームの演出画像等を表示するための表示装置と、ゲームの進行を制御するゲーム制御手段を有する制御装置、等を備えている。この制御装置は、マイクロコンピュータを備えた制御基板等から構成されている。なお、以下の説明において、個々の麻雀牌のことを単に「図柄」と記述する場合がある。
【０００３】
そして、遊技者が１ゲームの遊技に必要な所定の枚数のメダルをメダル投入口に投入すると、制御装置に搭載されているゲームの進行を制御する手段となるソフトウェア（ゲーム制御手段）は、ゲームを開始させ、遊技者の捨て牌及び自摸牌の操作に従ってゲームの進行を制御する。このような雀球遊技機においては、遊技者がゲーム開始の操作を行うと、雀球遊技機のゲーム制御手段は、次のようにゲーム進行の制御を行う。
【０００４】
まず、ゲーム開始時に必要な手牌（配牌）となる１４個の牌の図柄を、乱数発生手段を用いた無作為抽選により決定し、遊技者の手牌として配牌する。この配牌された１４個の手牌の図柄は、遊技者の手牌として表示装置に表示される。
【０００５】
次に、この配牌された１４個の牌の図柄が上がり役を完成させていない場合には、遊技者はこの１４個の手牌から不要と判断した１個の牌を捨てる「捨て牌」の操作を行う。この捨て牌の操作が行われると、遊技者の現在の手牌となる１３個の図柄を表示装置に更新して表示する処理を行うとともに、１個の遊技球を遊技球発射装置に供給する制御を行う。
【０００６】
続いて、遊技者は、１個の遊技球を遊技球発射装置から遊技盤内に発射する自摸牌の操作を（自摸牌操作）行う。この発射した遊技球が入球した入球口に対応する牌の図柄が、自摸した牌（自摸牌）として手牌に加えられる。このとき、制御装置のソフトウェアは、自摸牌の図柄コードを記憶装置の手牌データ記憶領域に記憶する処理を行うとともに、遊技者の現在の手牌となる１４個の図柄を表示装置に更新して表示する処理を行う。これらの操作と処理は、雀球遊技機の自摸牌操作手段を構成している。
【０００７】
続いて、制御装置が備えている入賞判定手段は、自摸牌の操作により１４個になった手牌の図柄の組合せが、予め設定された上がり（和了）役の組合せを完成しているか否かを判定する処理を行う。そして、手牌が上がり役の組合せを完成していない場合には、遊技者は、再び手牌から不要な１個の牌を選択して捨て牌の操作を行う。この捨て牌の操作は、表示装置に表示されている手牌の図柄に対応する捨て牌用スイッチボタンを押圧することにより行われ、記憶領域に記憶している手牌データも更新される。これらの捨て牌操作とその処理は、雀球遊技機の捨て牌操作手段を構成している。
【０００８】
このようにして、遊技者が予め設定された所定の個数（例えば１１個）以内の遊技球を発射させる自摸牌操作を行って、１４個になった手牌が予め設定された所定の上がり役の組合せを完成させると、制御装置は上がり役ごとに設定された所定の枚数のメダルを賞として払い出す処理を行う。なお、上記した１ゲームの開始時に１４個の牌の自動配牌が終了したときにも、入賞判定手段はこの１４個の配牌が既に上がり役を完成しているか否かの判定を行う。
【０００９】
一方、遊技者が所定の個数の遊技球を発射しても上がり役を完成させることができない場合には、制御装置はこのゲームを終了（流局）とする処理を行う。
【００１０】
また、従来実用化されている雀球遊技機においては、上がり役が１ゲームの開始時に乱数発生手段等を用いた抽選により決定された特定の上がり役である場合には、当該ゲーム又は次ゲーム以降の所定のゲーム数について、通常の遊技（通常遊技）の制御モードと比較して遊技者にとって有利な特別遊技役の権利を得た制御モードで、ゲームを行うことができるようになっている。
【００１１】
この特別遊技役（ボーナスゲーム役）としては、一般に、ビッグボーナスゲーム（以下、ＢＢゲーム役という）役、レギュラーボーナスゲーム（以下、ＲＢゲーム役という）役、チャンスボーナスゲーム（以下、ＣＢゲーム役という）役、等が設けられている。
【００１２】
ＢＢゲーム役は、１ゲームごとにＢＢゲーム役として予め選定された複数種の上がり役から、乱数発生手段を用いた抽選により決定される一つの上がり役を成立（完成）させると、遊技者は、当該ゲームを含む次回以降の所定回数（例えば、当該ゲームを含む１４回）のゲームについて、遊技者にとって有利なゲームを継続して実施することができるゲームを示す。ただし、ＢＢゲーム役のゲームを実施して上がりを完成させることができなかった場合には、ＢＢゲーム役の権利は消滅し、遊技者は次回のゲームから通常遊技を実施することになる。
【００１３】
ゲーム制御手段は、ＢＢゲーム役のゲームにおいて、ゲーム開始時の配牌処理が終了すると、遊技盤上のアタッカー作動口を有効とし、遊技者が発射した遊技球がこのアタッカー作動口を通過すると、特別入球口（アタッカー）を開口する制御を行なう。そして、このアタッカーに遊技者が発射した遊技球が入球すると、遊技者は牌選択ボタンの操作等により所望する一つの牌を自摸牌として選択できるように制御する。遊技者は、ＢＢゲーム役のゲームを実施して、上がりを完成させると、次のゲームもＢＢゲーム役のゲームを行なうことができる。このように、ＢＢゲーム役のゲームを実施して上がりを継続し続けると、遊技者は上記した所定回数ほどＢＢゲーム役のゲームを継続して実施することができる。なお、アタッカーに遊技球を入球させる回数、すなわち、所望する牌を自摸牌として選択できる回数には上限値（例えば、５回）が設定されている。
【００１４】
ＲＢゲーム役は、１ゲームごとにＲＢゲーム役として予め選定された複数種の上がり役から、乱数発生手段を用いた抽選により決定される一つの上がり役を完成させると、当該ゲームと次の１ゲームのみ、上記したＢＢゲーム役のゲームを行なうことができるようにしたものである。従って、ＲＢゲーム役の上がり役を完成させたゲームにおいて、遊技球が残っている場合には、ゲーム制御手段は遊技者が発射した遊技球がアタッカー作動口を通過するとアタッカーを開口させ、続いて、遊技者が発射した遊技球がアタッカーに入球すると、所望する牌を自摸牌として選択できるように制御する。これにより、遊技者は、
獲得できる得点数（メダル枚数）がより高い上がり役を目指してゲームを継続することができる。
【００１５】
ＣＢゲーム役は、１ゲームごとにＣＢゲーム役として予め予め選定された複数種の上がり役から、乱数発生手段を用いた抽選により決定される一つの上がり役を完成させると、ゲーム制御手段は、遊技者が発射すべき遊技球が残っていると判定すると、当該ゲームのみ、さらに上記したＢＢゲームの権利を獲得したゲームを継続して行なうことができる制御を行なう。そして、遊技者が発射した遊技球がアタッカー作動口を通過するとアタッカーを開口させ、続いて、遊技者が発射した遊技球がアタッカーに入球すると所望する牌を自摸牌として選択できるように制御する。これにより、遊技者は獲得できる得点数がより多い上がりを目指してゲームを継続して実施することが可能になる。また、ＣＢゲーム役で上がると、獲得できたメダル枚数が通常遊技の上がり役よりも加算される（例えば、２倍になる）等、遊技者に有利な特典が付与されるものである。なお、通常遊技とは、上記ＢＢゲーム役、ＲＢゲーム役又はＣＢゲーム役の権利を獲得していないゲームのことをいう。
【００１６】
上記したように、従来の雀球遊技機においては、遊技者は通常遊技を実施して特別遊技役の権利を獲得することができる上がり役を完成、例えば、ＢＢゲームの権利を獲得できる上がり役を完成させると、雀球遊技機のゲーム制御プログラムは、次のゲームからその制御モードを特別遊技役（ＢＢゲーム役）のモードに設定する処理を行なっていた。このＢＢゲームの制御モードに設定されたゲームでは、ゲーム開始時の１４個の配牌の図柄を決定する処理が終了すると、遊技盤上の通過口（アタッカー作動口）が有効になり、遊技者が発射した遊技球がこのアタッカー作動口を通過すると、特別入球口（アタッカー）が開口する。そして、このアタッカーに遊技球が入球すると、遊技者は牌選択ボタンの操作等により所望する牌を自摸牌として選択することができる。なお、開口した特別入球口に遊技球を入球させることが可能な回数は、例えば、５回を上限値として設定されていた。
【発明の開示】
【発明が解決しようとする課題】
【００１７】
上記した従来の雀球遊技機においては、遊技者は通常遊技を実施して特別遊技役の権利、例えば、ＢＢゲームの権利を獲得すると、直ちに、次のゲームからＢＢゲームの制御モードでゲームを実施することができた。ゲーム制御プログラムにより、このようなゲーム進行の制御を行なうと、通常遊技を実施してＢＢゲームの権利を獲得した後に、直ちに次のゲームでこのＢＢゲームの権利を獲得したゲームの実施ができるというメリットは生じるが、遊技者は通常ゲームのモードからＢＢゲームの制御モードへのゲームの制御の流れに単調さを感じることもあった。
【００１８】
そこで、本発明の目的は、遊技者が通常ゲームを実施して特別遊技役の権利を獲得できる上がり役を完成させると、まず、この特別遊技役の権利は仮確定と判定し、さらに、次のゲーム以降の実施結果に基づいて、この仮確定と判定した特別遊技役の権利が確定したと判定することにより、遊技者は特別遊技役のゲームを緊張感を持ってゲームを実施することができる雀球遊技機を提案することにある。
【課題を解決するための手段】
【００１９】
上記した課題を解決するために、請求項１に記載の発明に係る雀球遊技機は、複数種の牌の図柄に対応する入球口が配置された遊技盤と、ゲーム開始時に当該ゲームの手牌となる配牌を決定する自動配牌手段と、前記遊技盤に発射した遊技球が入球した前記入球口に対応する牌の図柄を自摸操作による自摸牌として表示装置の手牌表示部に表示する自摸操作手段と、前記手牌表示部に表示された手牌の図柄から不要な図柄を捨て牌操作するための捨て牌操作手段と、前記自摸牌操作により得た図柄を加えた前記手牌の図柄の組合せが予め設定された上がり役の図柄の組合せを完成させたか否かを判定する上がり役判定手段と、通常遊技のゲームの開始時に該通常遊技に比べて遊技者に有利な特別遊技役の権利を獲得することができる上がり役を決定する特別遊技役決定手段と、ゲームの進行を制御するゲーム制御手段と、を備えた雀球遊技機であって、
前記ゲーム制御手段は、
前記通常遊技のゲームの実施による前記上がり役が前記特別遊技役の権利を獲得することができる上がり役と一致すると、前記特別遊技役の権利が仮確定したと判定する特別遊技仮確定手段と、
前記特別遊技役の権利が仮確定したと判定されたゲームの次のゲーム以降に実施された仮確定ゲームの実施結果が、所定の条件を満たすと、前記仮確定したと判定した前記特別遊技役の権利を確定と判定する特別遊技確定手段と、を備え、
前記ゲーム制御手段は、前記特別遊技役の権利が確定したと判定したゲームの次のゲームを、前記特別遊技役のゲームとして制御することを特徴としている。
【００２０】
また、請求項２に係る発明は、請求項１に記載の雀球遊技機に係り、前記特別遊技確定手段が前記特別遊技役の権利が確定したと判定する前記所定の条件は、前記仮確定ゲームの実施結果に基づく連続上がり回数が所定の値に達することを条件として設定されていることを特徴としている。
【００２１】
また、請求項３に係る発明は、請求項２に記載の雀球遊技機に係り、前記連続上がり回数は、前記仮確定ゲームの初回のゲームからの連続上がり回数として設定されていることを特徴としている。
【００２２】
また、請求項４に係る発明は、請求項２又は請求項３に記載の雀球遊技機に係り、前記ゲーム制御手段は、「１」以上であって所定の整数値以下の整数の一つを任意に選択する整数選択手段を備え、
前記連続上がり回数は、前記仮確定ゲームごとに前記整数選択手段が選択した前記整数値として設定されることを特徴としている。
【００２３】
また、請求項５に係る発明は、請求項１に記載の雀球遊技機に係り、前記ゲーム制御手段は、前記ゲーム制御手段は、前記仮確定ゲームの実施結果が流局と判定すると、前記流局と判定した次のゲームを、前記通常遊技のゲームとして制御することを特徴としている。
【発明の効果】
【００２４】
請求項１に係る本発明によると、ゲーム制御手段は、通常遊技のゲームの実施結果による上がり役が特別遊技役の権利を獲得することができる上がり役と一致すると、この特別遊技役の権利が仮確定したと判定する。そして、特別遊技役の権利が仮確定したゲームの次のゲーム以降に実施されたゲームの実施結果が所定の条件を満たすと、仮確定と判定した特別遊技役の権利を確定と判定するようにしている。すなわち、遊技者は通常遊技を実施して特別遊技役の権利が獲得できる上がり役を完成させると、特別遊技役の仮確定を獲得し、さらに、次のゲーム以降のゲーム実施結果に基づいて、この仮確定した特別遊技役を確定させることができる。これにより、遊技者が特別遊技役の権利を仮確定させ、さらにこの仮確定を確定させるまでのゲームを、遊技者は緊張感を持って実施することができる雀球遊技機を提供することができる。
【００２５】
請求項２に係る本発明によると、仮確定と判定した特別遊技役の権利が確定したと判定するための所定の条件を、特別遊技役の権利が仮確定したゲームの次のゲーム以降に実施された仮確定ゲームの連続上がり回数が所定の回数を満たすことを条件として設定しているので、遊技者は特別遊技役の権利の仮獲得を獲得すると、次のゲーム以降は上がりを目指して緊張感を持って真剣にゲームを実施するようになる。
【００２６】
請求項３に係る本発明によると、特別遊技役の権利を確定と判定するための連続上がり回数は、前記特別遊技役の権利が仮確定したゲームの次のゲームからの連続上がり回数として設定しているので、遊技者は、特別遊技役の権利が仮確定したゲームの次のゲームは、特に、上がりの完成を目指して緊張感を持って真剣にゲームを実施するようになる。
【００２７】
請求項４に係る本発明によると、遊技者は特別遊技役の権利を仮確定させると、整数選択プログラムにより、仮確定と判定した特別遊技役の権利を確定と判定するための連続上がり回数の値を抽選により決定する手段を採用している。これにより、遊技者は特別遊技役の権利を仮確定させると、この連続上がり回数の抽選結果に高い興趣を持つことができる雀球遊技機を提供することができる。
【００２８】
請求項５に係る本発明によると、ゲーム制御手段は、特別遊技役の権利が仮確定したゲームの次のゲームに実施されたゲームの実施結果が流局と判定すると、この流局と判定した次のゲームを通常遊技のゲームとして制御するので、遊技者は特別遊技役の権利が仮確定したゲームの次のゲーム（チャンスゲーム）は、何がなんでも上がりの完成を目指して緊張感を持って真剣にゲームを実施するようになる。
また、通常遊技のゲームの開始時に特別遊技役決定手段は特別遊技役の権利を獲得することができる上がり役として、比較的上がり易い上がり役が決定されるようにすると、遊技者はこのチャンスゲームをより獲得し易くなるので、遊技者にとって興趣を高くした雀球遊技機を提供することが可能になる。
【発明を実施するための最良の形態】
【００２９】
本発明の雀球遊技機において、その特徴とするところは下記（１）〜（３）に記載の内容にある。
【００３０】
（１）遊技者が通常遊技のゲームを実施して、特別遊技役を獲得することができる上がり役を完成させた場合、ゲーム制御プログラムは「特別遊技役を実施する権利を仮確定」、すなわち、遊技者は特別遊技役のゲームを実施する権利を仮獲得したと判定し、従来の雀球遊技機のように、直ちに「特別遊技役の権利が確定」したとは判定しないようにしている。そして、ゲーム制御プログラムは、「特別遊技役の権利が仮確定」したと判定したゲームの次のゲーム（仮確定ゲーム）が実施されて、そのゲームの実施結果が所定の条件を満たしていると、「仮確定した特別遊技役の権利」を「確定」と判定する処理を行なうようにしている。すなわち、「特別遊技役の権利が仮確定」したと判定したゲームの次に実施されるゲームは、いわゆる、「チャンスゲーム（仮確定ゲーム）」の制御モードでゲームの進行を制御するようにしている。また、特別遊技役を実施する権利が仮確定したゲームを実施しても、ゲーム制御プログラムは、後述するアタッカー作動口１２を有効化する処理は行わない。従って、遊技者は特別遊技役を実施する権利が仮確定したゲームを実施しても、遊技球をアタッカー１１に入球させることを不可能にしているので、遊技者は所望する自摸牌を取得できないようにしている。
【００３１】
（２）ゲーム制御プログラムは、遊技者がチャンスゲームの制御モードでゲームを実施して所定の条件が得られると、この「仮確定」と判定した特別遊技役の権利を「確定」と判定する処理を行なう。そして、ゲーム制御プログラムは、「確定」と判定したゲームの次のゲームを特別遊技役の制御モード（特別遊技モード）でゲームの進行を制御するようにしている。
【００３２】
（３）一方、ゲーム制御プログラムは、遊技者がチャンスゲームの制御モードでゲームを実施して、上がりを獲得できなかった場合には、チャンスゲームの制御モードを終了させて、次のゲームからは通常遊技の制御モードでゲームの進行を制御する。
【００３３】
（雀球遊技機の構成例）
以下、最初に本発明の雀球遊技機の一実施形態に係る構成について、その構成例を説明する。
【００３４】
本発明に係る雀球遊技機は、従来提案されている雀球遊技機と同じように複数種の麻雀牌の図柄、例えば、２７種の牌を各４個、計１０８個の牌の図柄を用いてゲームを行うようにした遊技機である。この２７種の麻雀牌の図柄は、萬子が「一萬」、「二萬」、・・・、「九萬」の牌種が「萬子」となる９種の図柄、「一筒」、「二筒」、・・・、「九筒」の牌種が「筒子」となる９種の図柄、牌種の「索子」が「一索」と「九索」の２種の図柄、字牌は牌種が「風牌」となる「東」、「南」、「西」、「北」の４種と、牌種が「三元牌」となる「白」、「發」、「中」の３種の図柄から構成されている。従って、萬子と筒子と索子が数牌となるが、索子は「一索」と「九索」のみしか設けていないので、「順子」を形成することができない牌種、すなわち、字牌と同じ牌種とみなすことができる。
【００３５】
なお、上記した２種の数牌は、例えば、萬子を「一萬」、「二萬」、・・・、「九萬」の９種の図柄、索子を「一索」、「二索」、・・・、「九索」の９種の図柄から構成し、筒子を「一筒」と「九筒」の２種の図柄、字牌を「東」、「南」、「西」、「北」、「白」、「發」、「中」の７種の図柄から構成される麻雀牌の図柄を有する雀球遊技機としてもよい。また、本発明に係る雀球遊技機は、３種の数牌（萬子、筒子、索子）と字牌の計４種の麻雀牌から構成され、計１３６個の麻雀牌の図柄を使用する雀球遊技機として実施することも可能である。
【００３６】
まず、本発明に係る雀球遊技機について、筐体の前面部の構成について説明する。図１は、本発明の一実施形態を示す雀球遊技機における筐体の前面部の構成を示す正面図である。図１に示すように、雀球遊技機１の前面部は、基本的には遊技盤２、操作パネル３、この操作パネル３の下方に設けられた遊技球発射レバー４、メダル受皿５、スピーカー６から音声や効果音を出力する音声出力口７、ランプ装置８、ガイドレール９等から構成されている。
【００３７】
遊技盤２の構成例を図２に示す。図２に示す遊技盤２は、第１の実施形態を示す要部正面図であって、ガイドレール９に囲まれた遊技盤２の中央には、液晶表示装置からなる第１の表示装置１０、この第１の表示装置１０の斜め下方には、入球口１３ａと１３ｂが配置されている。さらに、遊技盤２の下方部２ａには、図３に示すように横方向に２５個の入球口１３ｃ、１３ｄ、・・・が配置されている。第１の表示装置１０の右方には、特別入球口（以下、アタッカーという）１１、このアタッカー１１の上部には遊技球が通過可能なアタッカー作動口１２が配設されている。
【００３８】
このアタッカー作動口１２は、遊技者が特別遊技役の権利であるＢＢゲーム役（後述する）又はＣＢゲーム役を獲得してこの特別遊技役のゲームを実施するときに、遊技球がアタッカー作動口１２に入球して通過すると、アタッカー１１を開放させる。なお、本実施形態においてこのＢＢゲーム役とは、後述するＢＢ１（１０Ｒ）ゲーム、又はＢＢ２（３Ｒ）ゲームを示す。
【００３９】
なお、以下の本発明の実施形態の説明において、遊技者が上がり役を完成させたときに獲得可能な特別遊技役は、ＢＢゲーム役として、ＢＢゲーム役を獲得したゲームを１０回継続して実施することが可能なゲーム（以下、「ＢＢ１（１０Ｒ）ゲーム」という）、ＢＢゲームを獲得したゲームを３回継続して実施することが可能なゲーム（以下、「ＢＢ２（３Ｒ）ゲーム」という）、及びＣＢゲームを設定した場合を例にして説明する。
【００４０】
各入球口１３ａ、１３ｂ、・・・には牌の図柄が表示されており、これら２７個の入球口１３ａ、１３ｂ、・・・の配置は、例えば、第１の表示装置１０の斜め左下には「一索」の入球口１３ａ、同じく斜め右下には「九索」の入球口１３ｂが配置されている。さらに、第１の表示装置１０の下側であって遊技盤２の下方部２ａには、図３に示すように、横方向に最左端には「東」の入球口１３ｃ、続いて「南」の入球口１３ｄ、「一萬」の入球口１３ｅ、・・・、最右端には「北」の入球口が配置されている。
【００４１】
遊技盤２には、さらに、ランプ８、ランプ付き飾り装置１４、風車１５等が設けられている。ランプ装置８、ランプ付き飾り装置１４に用いる発光体は、種々のカラー色を発光するＬＥＤを使用する。なお、遊技盤２には、発射された遊技球の動きを案内するために多数本の釘が配設されているが、図２にはこれらの釘の全ては図示していない。さらに、遊技盤２の上方部には、ドット表示器等から構成される表示装置３６が設けられている。この表示装置３６は、後述する雀球遊技機１の主制御手段であるメイン制御基板Ｋａにより制御される。
【００４２】
操作パネル３には、図４に示すように、液晶表示装置から構成される第２の表示装置１６、メダル投入口１７、各種の操作ボタン（ボタンスイッチ）が設けられている。この各種の操作ボタンは、ゲーム開始（ＢＥＴ）ボタン１８、１３個の手牌の図柄に対応してボタンが横方向に配設され捨て牌の操作を行うための捨て牌用ボタンスイッチ１９ａ、１９ｂ、・・・、１９ｍ、自摸した牌を捨て牌とする操作を行うための自摸捨て牌用ボタンスイッチ２０、手牌が聴牌したときにリーチをかけるためのリーチ操作入力手段となっているリーチボタン２１、右シフトボタン２２ａ、左シフトボタン２２ｂ、選択決定ボタン２３、遊技（ゲーム）終了ボタン２４、メダル払出ボタン２５等から構成されている。なお、捨て牌用ボタンスイッチ１９ａ、１９ｂ、・・・、１９ｍ、自摸捨て牌用ボタンスイッチ２０は、手牌から不要な牌を捨てる操作を行う捨て牌操作手段になる。
【００４３】
遊技者が上記した各種のボタンを操作する（押圧してスイッチ接点をＯＮにする）と、例えば、捨て牌用ボタンスイッチ１９ａを押圧操作すると捨て牌信号が発生し、この信号がマイクロコンピュータから構成される制御基板に入力される。そして、制御基板のＲＯＭに搭載されているソフトウェア（ゲーム制御プログラムという）は、入力された信号を解析し、この解析した入力信号に対応する処理を実行することによりゲームが進行する。
【００４４】
第１の表示装置１０及び第２の表示装置１６は、遊技者に対してゲームの進行に応じて必要な情報及び演出用画像を表示するために使用される。これら第１の表示装置１０及び第２の表示装置１６は、後述する雀球遊技機１の副制御手段であるサブ制御基板Ｋｂ、第１の画像制御基板Ｋｃ及び第２の画像制御基板Ｋｄにより制御される。
【００４５】
第１の表示装置１０は、主として、遊技者が手牌から不要な牌を捨てる操作を行うとき、及び、手牌に１個の牌を自摸牌操作するときに、捨て牌とすべき牌、自摸すべき牌の図柄を事前に表示する手段として使用される。これにより、麻雀の知識が少ない初心者も気軽にゲームを楽しむことが可能になる。
【００４６】
第２の表示装置１６は、主として、遊技者が雀球遊技機１に貯留している現在のメダル枚数、１ゲーム実施中における残り遊技球の個数、遊技者の手牌を構成する牌の図柄、遊技者が捨て牌として捨てた牌の図柄、等を表示する手段として使用される。
【００４７】
図５は、第２の表示装置１６に各種の画像や情報を表示したときの表示例を示している。図５に示すように、表示装置１６の表示面の上部横方向には、メダル貯留枚数表示部２６、残り遊技球数表示部２７、表ドラ表示部２８、裏ドラ表示部２９、演出画像表示部３０、捨て牌の図柄を表示する捨て牌表示部３３が設けられている。演出画像表示部３０には、上がり役を完成させたときに演出画像等が表示される。また、演出画像表示部３０には、当該ゲームにおいて特別遊技役の権利を獲得できる上がり役を表示する領域３１ａ、３１ｂ、３１ｃを設けている。図５に示す例では、特別遊技役のＢＢ１（１０Ｒ）ゲームを獲得できる上がり役として「国士無双」、同じくＢＢ２（３Ｒ）ゲームを獲得できる上がり役として「清老頭」、ＣＢゲーム役を獲得できる上がり役として「混老頭」と「全帯公」の２種が決定されていることを示している。
【００４８】
さらに、第２の表示装置１６の下部横方向には、現在の手牌の図柄を表示する手牌表示部３４、自摸牌操作により自摸した牌の図柄を表示する自摸牌表示部３５が設けられている。これら手牌表示部３４と自摸牌表示部３５はゲームの進行に伴って遊技者の現在の手牌を表示するための手牌表示部になる。
【００４９】
なお、手牌表示部３４及び自摸牌表示部３５に表示する各図柄の下部には、手牌から不要な捨て牌を決定する捨て牌操作手段となる捨て牌用ボタンスイッチ１９ａ、１９ｂ、・・・、１９ｍ、２０と対応するボタン名（Ａ、Ｂ、Ｃ、Ｄ、Ｅ、・・・、Ｍ、Ｎ）が表示されている。手牌表示部３４に表示される牌の図柄は、所定の順序、例えば、後述する牌の図柄コード順に、カラーで表示される。さらに、第２の表示装置１６の各表示部は、ゲームの進行に応じて牌の図柄、演出画像、数値等がプログラム処理により、更新して表示される。
【００５０】
第１の表示手段１０に表示する画面例を図６に示す。図６において、表示画面上の上部には、当日のゲーム実施回数３７ａ、同じく当日の上がり回数３７ｂ、当該ゲームの直前に実施されたゲーム結果が流局の場合は、その連続流局回数３８、当該ゲームにおいて遊技者が行った自摸回数３９、等を表示する。なお、この連続流局回数３８とは、当該ゲームの直前に実施されたゲーム結果が流局の場合には、過去のゲーム履歴においてこの流局ゲームを含む流局が連続して続いている回数、例えば、流局ゲームが１０回連続している場合には、「１０」が表示される。
【００５１】
図６に示す画面表示の中央部には、遊技者が現在の手牌から捨て牌操作を行う前に、捨て牌支援プログラムが判定した捨て牌とすべき牌の図柄を表示する。同様に、遊技者が現在の手牌に１個の図柄を加える自摸牌操作を行う前に、この画面表示の中央部には、自摸牌支援プログラムが判定した自摸すべき牌の図柄を表示する。
【００５２】
雀球遊技機１の筐体内部の所定位置には、本発明にかかる雀球遊技機１の動作を制御するためのゲーム制御手段を備えた制御基板が搭載されている。この制御基板は、例えば、図７に示すように、雀球遊技機１の遊技の進行を統括して制御する主制御手段であるメイン制御基板Ｋａと、このメイン制御基板Ｋａの制御による遊技の進行に応じた演出を制御する副制御手段であるサブ制御基板Ｋｂ、第１の画像制御基板Ｋｃ及び第２の画像制御基板Ｋｄから構成されている。これら制御基板Ｋａ、Ｋｂ、Ｋｃ及びＫｄは、それぞれマイクロプロセッサであるＣＰＵ４０ａ、４０ｂ、４０ｃ、４０ｄ、記憶装置（ＲＯＭ）であるＲＯＭ４１ａ、４１ｂ、４１ｃ、４１ｄ、同じく記憶装置（ＲＡＭ）であるＲＡＭ４２ａ、４２ｂ、４２ｃ，４２ｄ、入出力インターフェイス（Ｉ／Ｆ）回路４３ａ、４３ｂ、４３ｃ、４３ｄ、通信用インターフェイス（Ｉ／Ｆ）回路４４ａ、４４ｂ、４４ｃ、４４ｄ等を備えたマイクロコンピュータから構成されている。
【００５３】
メイン制御基板Ｋａとサブ制御基板Ｋｂ、サブ制御基板Ｋｂと第１の画像制御基板Ｋｃ、及びサブ制御基板Ｋｂと第２の画像制御基板Ｋｄとは、ケーブル線Ｔ１、Ｔ２、Ｔ３により接続されてデータ通信が可能になっている。これにより、メイン制御基板Ｋａから第１の画像制御基板Ｋｃ又は第２の画像制御基板Ｋｄにデータを送信する場合には、サブ制御基板Ｋｂを経由してデータが送信されることになる。なお、各制御基板のＲＡＭ４２ａ、ＲＡＭ４２ｂ、ＲＡＭ４２ｃ及びＲＡＭ４２ｄは、雀球遊技機１の電源がＯＦＦされたときにもその記憶内容が保持されるように、例えば、不揮発性の半導体メモリ等を用いることが望ましい。
【００５４】
メイン制御基板Ｋａに搭載されている入出力インターフェイス回路４３ａには、ゲームを実施するときに遊技者がメダル投入口１７に投入したメダルを検出するメダル投入センサ１７ａ、各入球口１３ａ、１３ｂ、１３ｃ、・・・等に入球した遊技球を検出するための入球センサ、捨て牌用ボタンスイッチ１９ａ、１９ｂ、１９ｃ、・・・、及び各種のボタンスイッチ等が接続され、その入力信号がメイン制御基板Ｋａに入力されるようになっている。さらに、入出力インターフェイス回路４３ａには、遊技者にメダルを払い出すためのメダル払出装置、遊技球を発射装置に送るための遊技球送り装置、アタッカー１１の開閉を制御するアタッカー開閉装置等が接続され、プログラムの制御によりこれらの装置に制御信号が出力されるようになっている。また、入出力インターフェイス回路４３ａには、表示装置３６が接続されている。
【００５５】
サブ制御基板Ｋｂに搭載されている入出力Ｉ／Ｆ回路４３ｂには、ランプ８、１４等が接続されている。第１の画像制御基板Ｋｃの入出力Ｉ／Ｆ回路４３ｃには、第１の表示装置１０が接続され、第２の画像制御基板Ｋｄの入出力Ｉ／Ｆ回路４３ｄには、第２の表示装置１６、スピーカー６が接続されている。
【００５６】
雀球遊技機１の動作を制御する各種のゲーム制御プログラムは、各制御基板Ｋａ、Ｋｂ、Ｋｃ、ＫｄのＲＯＭ４１ａ、ＲＯＭ４１ｂ、ＲＯＭ４１ｃ及び４１ｄに記憶（搭載）されている。また、各ＲＡＭ４２ａ、ＲＡＭ４２ｂ、ＲＡＭ４２ｃ及び４２ｄは、これらのプログラムが作動するときに各種のデータの記憶、読み込みやデータの作成、計算等を行うための記憶領域（ワークエリア）として使用される。なお、ＣＰＵ４０ａ、ＣＰＵ４０ｂ、ＣＰＵ４０ｃ及びＣＰＵ４０ｄとしては、各制御基板Ｋａ、Ｋｂ、Ｋｃ、Ｋｄに要求される機能を適切に処理することができるように、８ビット、１６ビット或いは３２ビットのＣＰＵの何れかを採用することができる。さらに処理能力に優れたＣＰＵを採用することもできる。上記した各制御基板Ｋａ、Ｋｂ、Ｋｃ、Ｋｄと、ＲＯＭ４１ａ、ＲＯＭ４１ｂ、ＲＯＭ４１ｃ及び４１ｄに記憶されているプログラムは、本発明に係る雀球遊技機１の動作を制御するゲーム制御手段になる。
【００５７】
なお、図７に示す例において、本発明に係る雀球遊技機１の動作を制御するゲーム制御プログラムは、各制御基板Ｋａ、Ｋｂ、Ｋｃ、ＫｄのＲＯＭ４１ａ、ＲＯＭ４１ｂ、ＲＯＭ４１ｃ及び４１ｄに記憶させているが、ＲＯＭの他に、ＣＤ−ＲＯＭ、ＤＶＤ−ＲＯＭ、ＭＯ、フロッピー（登録商標）ディスク等のコンピュータ読取可能な記録媒体に記憶させておき、例えば、雀球遊技機１の電源をＯＮしたときに、これら記録媒体に記憶されているゲーム制御プログラムがそれぞれのＲＡＭ４２ａ、ＲＡＭ４２ｂ、ＲＡＭ４２ｃ及び４２ｄにインストールされて、ゲームの実行が制御されるようにした雀球遊技機とすることも可能である。
【００５８】
（メイン制御基板Ｋａ搭載のプログラム）
続いて、メイン制御基板Ｋａに搭載されているゲーム制御プログラムの構成について説明する。メイン制御基板ＫａのＲＯＭ４１ａには、雀球遊技機１のゲームの進行を統括して制御するための各種のプログラムが記憶されている。これらのプログラムは、例えば、図８に示すように、メイン制御プログラムＰ１、メダル管理プログラムＰ２、遊技球管理プログラムＰ３、自動配牌プログラムＰ４、特別遊技役決定プログラムＰ５、ドラ抽選プログラムＰ６、入賞判定プログラムＰ７、メダル払出制御プログラムＰ８、自摸牌選択支援プログラムＰ９、ゲーム履歴データ記録プログラムＰ１０、得点増加プログラムＰ１１、等から構成されている。
【００５９】
これらのプログラムのうち、メイン制御プログラムＰ１は、雀球遊技機１の動作を統括して制御するメインプログラムであり、さらにサブプログラムとして入力信号解析プログラムＰ１ａ、通信制御プログラムＰ１ｂ、遊技球残り個数カウントプログラムＰ１ｃ、開示個数カウントプログラムＰ１ｄを備えている。
【００６０】
上記した入力信号解析プログラムＰ１ａは、ゲーム開始ボタン１８、捨て牌用ボタンスイッチ１９ａ等、リーチボタン２１、右シフトボタン２２ａ、左シフトボタン２２ｂ、選択決定ボタン２３、遊技終了ボタン２４、メダル払出しボタン２５、各入球口に設置されている入球センサ等からその入力信号がメイン制御基板Ｋａに入力されたときに、これらの入力信号を解析する処理を行うためのプログラムである。
【００６１】
また、通信制御プログラムＰ１ｂは、サブ制御基板Ｋｂとの通信を行うためのプログラムである。この通信においては、送信するデータは如何なる処理を行うかを予め設定した制御コマンドと、この制御コマンドとともに送信される制御データ等から構成されるデータが、通信データとして送信される。
【００６２】
メイン制御プログラムＰ１は、主として次の処理を行う。
（１）雀球遊技機１の電源がＯＮされると、ＲＡＭ４２ａの記憶領域を初期化する処理を行う。さらに、メイン制御プログラムＰ１は、電源ＯＮ時の初期化制御コマンドをサブ制御基板Ｋｂに送信する。さらに、サブ制御基板Ｋｂはこの初期化制御コマンドを、第１の画像制御基板Ｋｃ及び第２の画像制御基板Ｋｄに送信する処理を行う。この制御コマンドに基づいて、サブ制御基板Ｋｂと第１及び第２の画像制御基板Ｋｃ、Ｋｄは、電源ＯＮ時の初期化処理を行う。
【００６３】
（２）ゲーム開始時に、ＲＡＭ４２ａの遊技球の残り個数を記憶する領域に、遊技球の個数の初期化設定値、即ち、遊技者が１ゲームに発射可能な個数である規定個数を記憶する処理を行う。この規定個数とは、雀球遊技機１の仕様に基づいて１ゲームに発射可能な遊技球の個数を示し、例えば、予め設定された１１個を記憶する。これにより、遊技者は、１ゲームにつき１１個の遊技球を発射させても上がり役を完成させることができない場合には、当該ゲームはゲームオーバー（流局）になって終了する。
【００６４】
（３）同じく、ゲーム開始時に、自動配牌プログラムＰ４を作動させて、ゲーム開始時の配牌に係る図柄コードを決定し、この決定した配牌データをゲーム開始時の手牌データとしてＲＡＭ４２ａの手牌データ記憶領域に記憶する処理を行うとともに、この手牌データを、サブ制御基板Ｋｂを経由して第２の画像制御基板Ｋｄに送信するための処理を行う。
【００６５】
（４）開示個数カウント手段となる開示個数カウントプログラムＰ１ｄを作動させて、配牌された図柄ごとに、各図柄に対応する入球口１３ａ等に遊技球が入球したものとして、入球口１３ａごとの入球数（開示個数）をカウントして記憶する処理を行う。この開示個数カウントプログラムＰ１ｄによる開示個数のカウント処理は、ＲＡＭ４２ａに設定した図柄コードごとに開示個数をカウントして記憶する開示個数カウントテーブル（図示せず）に記憶される。また、遊技者が自摸牌の操作を行うと、開示個数カウントプログラムＰ１ｄを作動させて、この自摸牌の図柄コードに対応する開示個数が開示個数カウントテーブルの該当する図柄コードの開示個数カウント領域に「１」を加算する処理を行う。さらに、開示個数カウントプログラムＰ１ｄは、後述する表ドラが決定されると表ドラに係る図柄コードに、また、遊技者がリーチの操作を行うと裏ドラに係る図柄コードに対応する開示個数に「１」を加算する処理を行う。
【００６６】
（５）メダル投入センサ７ａ、入球センサ、ボタンスイッチ１８、１９ａ、・・・等から信号が入力されると、入力信号解析プログラムＰ１ａによりその信号を解析し、その信号に対応した処理を行うように制御する。例えば、遊技者の自摸牌操作として遊技球を発射して、遊技球が入球した入球口１３ａ等の入球センサから入球信号が入力されると、この入球信号に対応する入球口１３ａ等の牌の図柄コードを求める。この図柄コードを求める処理は、例えば、メイン制御基板Ｋａを、２７種の図柄の入球口に対応する２７個の入球センサからの入球信号がＲＡＭ４２ａに予め設定した所定のアドレス（記憶番地）の一つに入力されるハードウエア構成とし、この２７のアドレスのうちのどのアドレスに入球信号が入力されたか否かを入球信号解析プログラムＰ１ａにより解析することにより可能になる。
【００６７】
そして、上記処理により求めた図柄コードを自摸牌操作により取得した図柄として、図５に示す自摸牌表示部３５にその図柄を表示するために、この自摸牌の図柄コードを、サブ制御基板Ｋｂを経由して第２の画像制御基板Ｋｄに送信するための処理を行う。
さらに、この自摸牌の図柄が所定の条件を満たしていると、例えば、当該ゲームの場にまだ４個開示されていないと、ＲＡＭ４２ａの手牌データ記憶領域にこの自摸牌の図柄コードを追加する手牌データの更新処理を行う。
【００６８】
（６）上記（５）の処理において、遊技者の自摸牌操作により入球口１３ａ等の入球センサから入球信号が入力されると、遊技球残り個数カウントプログラムＰ１ｃを作動させて、ＲＡＭ４２ａに設定した遊技球の発射可能な規定個数（以下、遊技球の残り個数という）をカウントする領域を「１」減算する処理を行う。
【００６９】
（７）同じく、上記（５）の処理において、遊技者が捨て牌の操作を行った信号が入力されると、この捨て牌の図柄コードを入力信号解析プログラムＰ１ａにより解析し、その図柄コードを、サブ制御基板Ｋｂを経由して第２の画像制御基板Ｋｄに送信する処理を行う。続いて、ＲＡＭ４２ａの手牌データ記憶領域からこの捨て牌の図柄コードを削除して、手牌データ記憶領域に記憶されている手牌データを図柄コード順に並べ替える更新処理を行い、次に、この１３個になった手牌データを、サブ制御基板Ｋｂを経由して第２の画像制御基板Ｋｄに送信するための処理を行う。
【００７０】
メダル管理プログラムＰ２は、遊技者がメダル投入口１７に投入したメダルの枚数をメダル投入センサ１７ａからの信号に基づいてカウントする処理、遊技終了ボタン２４からの入力信号、メダル払い出しボタン２５からの入力信号を検出したときに、メダルの貯留枚数の更新等を行うプログラムである。
【００７１】
遊技球管理プログラムＰ３は、ゲーム開始時と、捨て牌ボタンスイッチ１９ａ、・・・等から捨て牌の操作信号がメイン制御基板Ｋａに入力されたときに、メイン制御プログラムＰ１により作動されるプログラムであって、遊技球送り装置を制御して、遊技球発射位置（図１には図示せず）に遊技球を１球送る処理を行う。これにより、遊技者は、遊技球発射レバー４を操作して遊技球の発射、即ち、自摸牌操作を行うことが可能になる。
【００７２】
自動配牌手段となる自動配牌プログラムＰ４は、図９に示す牌の図柄コードテーブルＤＴ１を参照して、１ゲームの配牌に係る１４個の図柄コードを、乱数発生手段を利用して無作為に抽出して決定し、この決定した図柄コードを当該ゲーム開始時の手牌（配牌）データとしてＲＡＭ４２ａの手牌データ記憶領域に図柄コード順に並べて記憶する処理を行う。
【００７３】
図９は、ＲＯＭ４１ａに記憶している図柄コードテーブルＤＴ１について、そのデータ構造の一例を示している。この牌の図柄コードテーブルＤＴ１は、２７種の各麻雀牌に設定した図柄コードと、この図柄コードと関連付けして図柄コードごとに複数の固有の情報となる図柄割付け情報（以下、割付け数値という）を付与して登録したデータテーブルである。
【００７４】
図９に示す牌の図柄コードテーブルＤＴ１は、一つの図柄コードに対して４個の割付け数値を設定した例を示している。すなわち、ゲームで使用する２７種の各麻雀牌である「一萬」から「中」の２７種の図柄を識別するための固有の情報となる図柄コード（図９では１６進数で表示している）を設定し、さらに、各図柄コードには割付け数値として４個の固有の数値（図９では１０進数で表示している）を付与（設定）している。この割付け数値は、図９に示すように、ゲームに使用する計１０８個の図柄に対応させた「０」〜「１０７」の整数値から構成され、その整数値のいずれかを２７種の牌の図柄コードのそれぞれに４個ほど割付けたものである。従って、図９に示す各図柄コード及び割付け数値は、２７種の図柄を識別するための固有の識別情報になる。
【００７５】
なお、自動配牌プログラムＰ４が１４個の配牌に係る図柄コードを決定する処理においては、上記した「０」〜「１０７」で表される割付け数値を、乱数発生手段を利用した無作為の抽出処理を順次実行して、１４個の配牌に係る図柄コードを決定する処理を行なう。なお、この配牌に係る図柄コードを決定する処理において、同一の図柄コードが５個抽出された場合には、再度、乱数発生手段による無作為の抽出処理を実行して他の図柄コードを配牌の図柄として決定する処理を行なう。
【００７６】
特別遊技役決定プログラムＰ５は、予め設定されている上がり役の中から１ゲームごとに特別遊技役の権利を獲得することが可能な上がり役を、乱数発生手段が発生した乱数を利用した抽選により決定し、決定した上がり役のコードを、特別遊技役のコ−ドと関連付けしてＲＡＭ４２ａに記憶する処理を行うプログラムである。
【００７７】
なお、前記したように、本発明の雀球遊技機で通常遊技のゲームを実施して、特別遊技役決定プログラムＰ５が決定した上がり役を完成しても、特別遊技役の権利は「仮確定」と判定し、特別遊技役の権利は「まだ確定してない」と判定する処理を行なう。
【００７８】
特別遊技役決定プログラムＰ５は、ＢＢ１（１０Ｒ）ゲーム役の権利を獲得することが可能な上がり役として、予め選定された複数種の上がり役から１種を抽選により決定する。同様に、ＢＢ２（３Ｒ）ゲーム役の権利を獲得することが可能な上がり役として、予め選定された複数種の上がり役から１種を抽選により決定する。また、ＣＢゲーム役の権利を獲得することが可能な上がり役として、予め選定された複数種の上がり役から２種を抽選により決定する。
【００７９】
特別遊技役決定プログラムＰ５は、ＢＢ１（１０Ｒ）ゲーム役の権利を獲得することが可能な上がり役を、例えば、「国士無双」、「大三元」、「九連宝燈」、「一気通貫」、「字一色」の５種類の上がり役から１種を抽選により決定する。同様に、ＢＢ２（３Ｒ）ゲーム役については、例えば、「清老頭」、「小三元」、「三暗刻」、「二盃口」、「混一色」の５種類の上がり役から１種を抽選により決定する。また、ＣＢゲーム役については、例えば、「混老頭」、「全帯公」、「三暗刻」、「平和」、「一盃口」、「タンヤオ」の６種類の上がり役から２種を抽選により決定する処理を行う。
【００８０】
本発明においては、ＢＢ１（１０Ｒ）ゲーム役、ＢＢ２（３Ｒ）ゲーム役、及びＣＢゲーム役の権利を獲得することが可能な上がり役は、上記したように予め選定された複数種の上がり役から抽選により１種又は２種を決定する処理を行なう。そして、これら予め選定された複数種の上がり役には、上がりを完成させることが容易な上がり役を選定しておくことが望ましい。
【００８１】
この理由は次の通りである。前記したように、遊技者が通常遊技のゲームを実施して特別遊技役について「仮確定」を取得すると、ゲーム制御プログラムは次のゲームを「チャンスゲーム」の制御モードで制御する。そして、この「チャンスゲーム」の制御モードで実施されたゲーム結果に基づいて、例えば、上がりが所定回数（Ｒ回）連続して完成されると、この「特別遊技の仮確定」を「確定」と判定する処理を行なう。
一方、ゲーム制御プログラムは、「チャンスゲーム」の制御モードで実施されたゲームにおいて、上がりを完成させることができない場合には、この仮確定した特別遊技役の権利を「消滅」させ、次のゲームは通常遊技でゲームを制御する処理を行なうようにしている。
【００８２】
このため、遊技者は特別遊技役の権利を仮獲得しても、この仮確定した特別遊技役の権利を失う場合も発生する。従って、特別遊技役決定プログラムＰ５が抽選により選択するために予め選定した複数種の上がり役のなかに、上がりを完成させることが容易な上がり役を含ませておくと、遊技者は特別遊技役の権利の仮獲得が容易、すなわち、「チャンスゲーム」の制御モードでゲームを実施することができる回数を多く獲得することが可能になるので、遊技者は、従来の雀球遊技機と比較して各ゲームをより高い興趣を持って進めることができるようになる。
【００８３】
ドラ抽選プログラムＰ６は、表ドラ抽選プログラムと裏ドラ抽選プログラムを備えている。表ドラ抽選プログラムは、ゲーム開始時にゲームで使用する牌の図柄（牌の図柄コードテーブルＤＴ１）から、乱数発生手段が発生した乱数を利用して１枚の表ドラを抽選によって決定するためのプログラムである。裏ドラ抽選プログラムは、遊技者の手牌が聴牌の状態になって、遊技者がリーチボタン２１を押圧したときに、メイン制御プログラムＰ１の制御に従って、１枚の裏ドラを、表ドラ抽選プログラムの処理と同様の手順で決定するためのプログラムである。ドラ抽選プログラムＰ６により決定された表ドラと裏ドラの図柄コードはＲＡＭ４２ａに記憶されるとともに、サブ制御基板Ｋｂを経由して第２の画像制御基板Ｋｄに送信される。
【００８４】
入賞判定プログラムＰ７は、手牌データが上がりの組合せを完成させたか否かの判定（上がり判定プログラム）と、上がりを完成させたと判定したときに、この上がり役の判定（上がり役判定プログラム）と、遊技者がこの上がり役により獲得できるメダル枚数（入賞に伴う獲得メダル枚数）を求める処理を行うプログラムである。この入賞判定プログラムＰ７は、ゲーム開始時に自動配牌プログラムＰ４が前記した配牌テータを決定したとき、及び遊技者が自摸牌操作を行って手牌データにこの自摸牌の図柄を加えたときに、メイン制御プログラムＰ１の制御に従って実行されるプログラムである。
【００８５】
図１０は、本発明の雀球遊技機１に予め設定されている上がり役の名称と上がり役のコード、及びこの上がり役を完成させたときに遊技者が獲得できる入賞に伴う獲得メダル枚数について、その一例を示している。図１０に示すデータ構成の上がり役別入賞メダル枚数テーブルＤＴ２が、予めメイン制御基板ＫａのＲＯＭ４１ａに記憶されている。
【００８６】
なお、入賞判定プログラムＰ７は、手牌データが上がりの組合せを完成させている判定すると、その上がり役を判定する処理を行ってその上がり役コードから、図１０に示す上がり役別入賞メダル枚数テーブルＤＴ２を参照して、遊技者が入賞した上がり役に対して獲得できるメダル枚数を求める処理を行う。また、手牌データが上がり役の組合せを完成させると、メイン制御プログラムＰ１の制御に従って、上がり役完成の制御コマンドとともにその上がり役のコード、入賞に伴う獲得メダル数、後述する増加メダル枚数等が、サブ制御基板Ｋｂを経由して第１及び第２の画像制御基板Ｋｃ、Ｋｄに送信される。
【００８７】
なお、入賞判定プログラムＰ７が遊技者の１４個の手牌が図１０に示す上がり役のいずれかを完成させているか否かの判定処理は、例えば、通常の上がり役については、次の（１）〜（４）に記載の手順をプログラムで処理することにより可能になる。
【００８８】
（１）「国士無双」と「七対子」を除いた一般上がり役は、計４組の「刻子」や「順子」の組合せと、１組の「雀頭（対子）」から構成される。従って、入賞判定プログラムＰ７は上がり判定プログラムを実行させて、ＲＡＭ４２ａに記憶している現在の１４個の手牌データについて、「刻子」や「順子」の組合せと、「雀頭」の組合せ数を判定する処理を行うことにより、この手牌が上がりを完成しているか、或いは聴牌の状態になっているかを判定することが可能になる。
【００８９】
（２）現在の手牌が一般上がり役を完成していると判定されると、入賞判定プログラムＰ７は上がり役判定プログラムを実行させて、如何なる上がり役で上がっているかを判定する。この上がり役判定プログラムは、例えば、図１０に示す一般上がり役ごとに上がり役を判定するための判定データ（例えば、「対子」、「刻子」、「順子」の図柄の組合せ等）を予めＲＯＭ４１ａにデータテーブルとして登録した情報を参照して上がり役を判定するためのプログラムを、上がり役ごとに設けることにより可能になる。
【００９０】
（３）「国士無双」と「七対子」は、特殊な牌の組合せで上がる上がり役である。従って、上がり役判定プログラムＰ７は、「国士無双」と「七対子」のそれぞれについて、現在の手牌がこの上がり役を完成させているか、１個の牌を捨てると聴牌の状態になるか否かを判定するプログラムを備えておくようにする。
【００９１】
上記した手順により、入賞判定プログラムＰ７は、各上がり役を判定するためのプログラムを順次作動させることにより、現在の手牌が上がり役を完成しているか、上がり役を完成している場合にはその上がり役を、さらに、１個の牌を捨てると聴牌の状態になるか否かを判定することもできる。このとき、複数の上がり役が判定される場合もある。上がり役が判定されると、その上がり役コードをＲＡＭ４２ａに記憶する。
【００９２】
メダル払出制御プログラムＰ８は、遊技者が上がり役を完成させたときに、雀球遊技機１の内部に設置されているメダル貯留ホッパーのメダル払出装置を制御して、入賞に伴う獲得メダル枚数と、後述する得点増加プログラムが求めた増加メダル枚数を払い出す処理を行うためのプログラムである。
【００９３】
自摸牌選択支援プログラムＰ９は、遊技者が特別遊技役の権利を獲得したゲームを実施するときに、アタッカー１１に遊技球が入球した信号が入力されると、遊技者に対して、第２の表示装置１６に表示した自摸牌選択支援画面と対話方式により自摸する牌の図柄を任意に選択する操作を支援するためのプログラムである。なお、この自摸牌選択支援画面は、第１の画像制御基板Ｋｃが第１の表示装置１０に表示する制御を行なうようにしてもよい。
【００９４】
ゲーム履歴データ記録プログラムＰ１０は、当日に実施された１ゲームごとのゲーム結果の履歴データをＲＡＭ４２ａに記憶する処理を行うためのプログラムである。このゲーム結果の履歴データとしては、これまでの当日のゲーム実施回数と上がり役を完成させた上がり回数（入賞総回数）、同じく当日にＢＢゲーム役を獲得した回数、ＲＢゲーム役を獲得した回数及びＣＢゲームを獲得した回数、同じく入賞したときの上がり役の名称と払い出しメダル枚数、前回の入賞から次回の入賞までに実施されたゲーム回数である連続流局回数、通常遊技において当該ゲームの直前に実施されたゲームが上がり役を完成させたゲームであるときに、その連続して入賞した回数を示す連続継続入賞回数、等に関するデータが記録される。
【００９５】
上記したゲーム結果の履歴データのうち、当日のゲーム実施回数と上がり回数、連続継続入賞回数、連続流局回数等のデータは、１ゲームが終了するごとに、メイン制御プログラムＰ１の制御により、サブ制御基板Ｋｂを経由して第１の画像制御基板Ｋｃに送信される。
【００９６】
得点増加プログラムＰ１１は、特別遊技による得点増加プログラムＰ１１ａとドラ牌による得点増加プログラムＰ１１ｂの２つのサブプログラムを備えている。
【００９７】
特別遊技による得点増加プログラムＰ１１ａは、遊技者が特別遊技役の権利を獲得し、アタッカー作動口１２が有効化された後に遊技者が上がり役を完成させたときに、その上がり役に対して図１０に示す上がり役別入賞メダル枚数テーブルＤＴ２に登録されている入賞に伴う獲得メダル枚数のメダルを、増加させる処理を行う。すなわち、特別遊技役の権利を獲得したゲームで遊技者が上がり役を完成させると、ドラ牌による増加枚数を除く入賞に伴う獲得メダル枚数が２倍になる。
【００９８】
ドラ牌による得点増加手段は、ドラ牌による得点増加プログラムＰ１１ｂが実行する。図８には示していないが、ドラ牌による得点増加プログラムＰ１１ｂは、表ドラによる得点増加プログラムと、裏ドラによる得点増加プログラムを備えている。
【００９９】
表ドラによる得点増加プログラムは、ＲＡＭ４２ａに記憶している上がり役を完成させた手牌データに、同じくＲＡＭ４２ａに記憶している表ドラの図柄コードが何個含まれているかを判定し、表ドラが含まれていると表ドラ１個につき所定枚数のメダル、例えば、３枚のメダルを増加させる処理を行う。
【０１００】
裏ドラによる得点増加プログラムは、ＲＡＭ４２ａに記憶している上がり役を完成させた手牌データに、同じくＲＡＭ４２ａに記憶している裏ドラの図柄コードが何個含まれているかを判定し、裏ドラが含まれていると裏ドラ１個につき所定枚数のメダル、例えば、３枚のメダルを増加させる処理を行う。なお、この裏ドラは、前述のように、１ゲームの開始時に、ドラ抽選プログラムＰ６により１枚の牌の図柄が抽選により決定されるが、遊技者の手牌が聴牌の状態になって遊技者がリーチボタン２１を押圧してリーチをかけたときに、メイン制御プログラムＰ１の制御により、第２の表示装置１６の裏ドラ表示部２９に表示される。
【０１０１】
（サブ制御基板Ｋｂ搭載のプログラム）
続いて、図１２に基づいて、サブ制御基板ＫｂのＲＯＭ４１ｂに搭載されているプログラムの構成を説明する。図１１に示すように、サブ制御基板Ｋｂには、主として、メイン制御プログラムＰ２１、ランプ制御プログラムＰ２２、アシストプログラムＰ２３、等から構成されるプログラムが搭載されている。
【０１０２】
このうち、メイン制御プログラムＰ２１は、メイン制御基板Ｋａから送信された各種の制御コマンドと制御データを解読して、制御コマンドごとに上記プログラムＰ２２、Ｐ２３の実行と、第１及び第２の画像制御基板Ｋｃ、Ｋｄとの通信を制御する処理を行う。メイン制御プログラムＰ２１は、この通信を行うための通信制御プログラムＰ２１ａを備えている。
【０１０３】
ランプ制御プログラムＰ２２は、メイン制御基板Ｋａから送信された制御コマンドとその制御データに基づいて、ランプ８、１４の点灯と消灯の制御を行うためのプログラムである。
【０１０４】
アシストプログラムＰ２３は、遊技者に対してゲーム進行のアシスト（遊技操作支援）を行うためのプログラムであって、目標上がり役設定プログラムＰ２３ａ、捨て牌支援プログラムＰ２３ｂ、自摸牌支援プログラムＰ２３ｃを備えている。
目標上がり役設定プログラムＰ２３ａは、サブ制御基板Ｋｂのメイン制御プログラムＰ２１は、メイン制御基板Ｋａから現在の手牌を構成する図柄データが送信されてくると、この受信したデータをＲＡＭ４２ｂに記憶する。そして、アシストプログラムＰ２３は、ＲＡＭ４２ｂに記憶している遊技者の現在の手牌データ、すなわち、自摸の操作を行う前の手牌データ、及び捨て牌の操作を行う前の手牌データに基づいて、現在の手牌の目標とする上がり役を判定する処理を行うプログラムである。
【０１０５】
目標上がり役設定プログラムＰ２３ａがこの目標とする上がり役を判定する処理は、例えば、次のようにして行うことができる。すなわち、前述のメイン制御基板Ｋａの入賞判定プログラムＰ７が上がり役を判定するためのデータを、予めサブ制御基板ＫｂのＲＯＭ４１ｂにデータテーブルとして登録しておく。そして、目標上がり役設定プログラムＰ２３ａは、例えば、手牌個数が１４個のゲームを実施している場合には、図１０に示す上がり役の順にこのテーブルを参照して向聴数が最も少ない上がり役を目標上がり役として設定する処理を行う。
【０１０６】
なお、目標上がり役設定プログラムＰ２３ａがこの目標とする上がり役を判定する処理は、前述のメイン制御基板Ｋａの入賞判定プログラムＰ７が手牌個数ごとに上がり役を判定するためのデータを、予めサブ制御基板ＫｂのＲＯＭ４１ｂにデータテーブルとして登録しておく。そして、目標上がり役設定プログラムＰ２３ａは、ＲＯＭ４１ｂに記憶している当該ゲームの手牌個数に係るこの上がり役を判定するためのテーブルを参照して、上がり役ごとに現在の手牌データに対する向聴数を求め、この求めた向聴数が最も少ない上がり役を目標上がり役として設定する処理を行うようにする。
【０１０７】
捨て牌支援プログラムＰ２３ｂは、ＲＡＭ４２ｂに記憶している手牌データに基づいて、遊技者が捨て牌の操作を行う前に、この手牌から捨て牌として捨てるべき牌を判定して、この図柄を捨て牌とするように遊技者にアシストするためのプログラムである。捨て牌支援プログラムＰ２３ｂが判定した牌の図柄コードは、第１の画像制御基板Ｋｃに送信されて、第１の表示装置１０にその図柄が、図６に示すように表示される。
【０１０８】
捨て牌支援プログラムＰ２３ｂがこの捨て牌とすべき牌の図柄を判定する処理は、例えば、次の手順により行うことができる。
前述の目標上がり役が「国士無双」のときは、ヤオチュウ牌以外の牌の図柄コードを捨て牌とすべき牌と判定する。次に「刻子」（同一の牌４個も含む）を形成している図柄コードの１個、その次に２組以上形成されている「対子」の何れか１個の図柄コードを捨て牌とすべき牌と判定する。
【０１０９】
手牌の目標とする上がり役が「七対子」のときは、「対子」を形成していない牌の図柄コードを捨て牌とすべき牌と判定する。このとき、「対子」を形成していない牌の図柄コードが複数存在するときの優先順位は、例えば、数牌の「１」と「９」以外の図柄コードを第１優先とし、次に数牌の「１」と「９」の図柄コード、その次に字牌の図柄コードとする。この理由は、手牌データに字牌を残しておいた方が、「七対子」の上がり役を完成させたときにより多くのメダルを獲得できる上がり役を完成させる確率が高くなるからである。
【０１１０】
目標とする上がり役が「一般上がり役」、即ち、４組の「面子（刻子又は順子）」と１組の「雀頭（対子）」から構成される上がり役のときは、１４個の手牌データから順次１個の図柄コードを仮の捨て牌としたときに、１３個になった手牌データの図柄コードの構成について、例えば、「面子（刻子、順子）」は４点、「塔子（両塔）」は３点、「嵌塔」、「対子」は２点、「辺塔」は１点、孤立牌は０点のように点数を付与し、１３個になった手牌データの合計点数が最も大きくなる図柄コードを第１優先の捨て牌とすべき牌とする処理を行う。以下、前記合計点数が大きい順に優先度を設定する。この理由は、現在の手牌データについて、前記合計点数が大きいということは、手牌に「刻子」、「順子」、「塔子」の組合せがより多く含まれていることを示すからである。
【０１１１】
自摸牌支援プログラムＰ２３ｃは、前述の目標上がり役設定プログラムＰ２３ａにより判定したこの手牌の目標とする上がり役に対して、遊技者が自摸牌操作を行う前に、この手牌に追加すべき自摸牌の図柄を判定するためのプログラムである。自摸牌支援プログラムＰ２３ｃが判定した自摸すべき牌の図柄コードは、第１の画像制御基板Ｋｃに送信されて、第１の表示装置１０にその図柄が表示される。
【０１１２】
自摸牌支援プログラムＰ２３ｃがこの自摸すべき牌の図柄を判定する処理は、例えば、次の手順で行うことができる。
自摸する前の手牌の目標上がり役から、この上がり役について必要とする「雀頭」、「刻子」、「順子」等を構成する牌の図柄の組合せに対して不足している図柄を判定する。そして、この不足している図柄について自摸すべき優先順位を予め設定しておき、この優先順位に従って自摸すべき図柄を判定する処理をプログラム化することにより可能になる。なお、この処理においては、サブ制御基板ＫｂのＲＡＭ４２ｂにも開示個数カウントテーブルを記憶して、この開示個数カウントテーブルも参照して自摸すべき牌の図柄を判定するようにする。
【０１１３】
（第１の画像制御基板Ｋｃ搭載のプログラム）
続いて、第１の画像制御基板ＫｃのＲＯＭ４１ｃに搭載されているプログラムの構成を図１３に基づいて説明する。これらのプログラムは、主として、第１の表示装置１０に各種の画像等を表示するためのプログラムであって、メイン制御プログラムＰ３１、画面表示プログラムＰ３２等から構成される。
【０１１４】
メイン制御プログラムＰ３１は、サブ制御基板Ｋｂから送信された制御コマンドと制御データを受信し、受信したデータに基づいて画面表示プログラムＰ３２の各サブプログラムの作動を制御する処理を行う。
【０１１５】
画面表示プログラムＰ３２は、サブ制御基板Ｋｂから送信されてきた制御コマンドと制御データに基づいて、第１の表示装置１０に画像や数値情報等を表示する制御を行うためのプログラムであって、通常遊技画面表示プログラムＰ３２ａ、特別遊技画面表示プログラムＰ３２ｂ、アシスト画面表示プログラムＰ３２ｃ、等から構成される。
【０１１６】
通常遊技画面表示プログラムＰ３２ａは、雀球遊技機１の電源ＯＮ時から、遊技者が通常の遊技を行っているときに、第１の表示装置１０に各種の演出画像や遊技者に対して支援する各種の画像を表示する処理を行うプログラムである。通常遊技画面表示プログラムＰ３２ａは、さらに、サブプログラムとして初期演出表示プログラムＰ３２ａ−１、ゲーム演出表示プログラムＰ３２ａ−２を備えている。
【０１１７】
初期演出表示プログラムＰ３２ａ−１は、雀球遊技機１の電源をＯＮしたときに、初期画面を表示するためのプログラムである。ゲーム演出表示プログラムＰ３２ａ−２は、ゲームの進行に伴って遊技者にゲームの操作等をアシストする画面を第１の表示装置１０等に表示する処理を行うプログラムである。
【０１１８】
特別遊技画面表示プログラムＰ３２ｂは、遊技者が特別遊技役の権利を獲得したときに各種の演出用の画面を表示する処理を行うプログラムであって、権利獲得演出表示プログラムＰ３２ｂ−１を備えている。
【０１１９】
アシスト画面表示プログラムＰ３２ｃは、自摸牌表示プログラムＰ３２ｃ−１、捨て牌表示プログラムＰ３２ｃ−２から構成されている。自摸牌表示プログラムＰ３２ｃ−１は、前述した目標とする上がり役に対する自摸すべき牌の図柄を第１の表示装置１０に表示するためのプログラムである。捨て牌表示プログラムＰ３２ｃ−２は、同じく、前述した捨て牌とすべき牌の図柄を第１の表示装置１０に図６に示すように表示するためのプログラムである。
【０１２０】
（第２の画像制御基板Ｋｄ搭載のプログラム）
続いて、第２の画像制御基板ＫｄのＲＯＭ４１ｄに搭載されているプログラムの構成を図１４に基づいて説明する。これらのプログラムは、メイン制御プログラムＰ４１、画面表示プログラムＰ４２、音声・効果音出力プログラムＰ４３等から構成される。
【０１２１】
メイン制御プログラムＰ４１は、サブ制御基板Ｋｂから送信された制御コマンドと制御データを受信し、受信したデータに対応して画面表示プログラムＰ４２の各サブプログラム、音声・効果音出力プログラムＰ４３を作動させる処理を行うためのプログラムである。
【０１２２】
画面表示プログラムＰ４２は、通常遊技画面表示プログラムＰ４２ａと、特別遊技画面表示プログラムＰ４２ｂとから構成されている。通常遊技画面表示プログラムＰ４２ａは、初期演出表示プログラムＰ４２ａ−１、ゲーム演出表示プログラムＰ４２ａ−２等のサブプログラムを備えている。初期演出表示プログラムＰ４２ａ−１は、雀球遊技機１の電源をＯＮしたときに、初期画面を表示するためのプログラムである。
【０１２３】
ゲーム演出表示プログラムＰ４２ａ−２は、主として、当該ゲームを実施するための配牌データが決定されたとき、及び遊技の進行に伴って遊技者が捨て牌の操作、遊技球の発射による自摸牌操作等を行うごとに、メイン制御基板Ｋａからサブ制御基板Ｋｂを経由して送信された制御コマンドとその制御データに基づいて、図５に示すように、現在の手牌データの図柄、捨て牌の図柄、自摸牌の図柄等を表示する処理を行うためのプログラムである。
【０１２４】
特別遊技画面表示プログラムＰ４２ｂは、遊技者が特別遊技役の権利を獲得したときに各種の演出用の画面を表示するプログラムであって、サブプログラムとして自摸牌候補選択支援プログラムＰ４２ｂ−１を備えている。自摸牌候補選択支援プログラムＰ４２ｂ−１は、遊技者が特別遊技役の権利を獲得したときに、第２の表示装置１６に表示される２７種の牌の図柄を、牌選択右シフトボタン２２ａ、或いは牌選択左シフトボタン２２ｂを操作してスクロールさせながら、対話方式により自摸すべき牌の図柄を選択する操作を支援するためのプログラムである。
【０１２５】
音声・効果音出力プログラムＰ４３は、サブ制御基板Ｋｂから送信された制御コマンドとその制御データに基づいて、ゲームの進行に伴って各種の演出用音声、及び効果音をスピーカー６から出力するためのプログラムである。
【０１２６】
なお、第１の画像制御基板ＫｃのＲＯＭ４１ｃ、第２の画像制御基板ＫｄのＲＯＭ４１ｄには、それぞれ第１、第２の表示装置１０、１６に表示する画像データがデジタル画像データとして記憶されている。これらのデータは、例えば、各牌の図柄の画像、配牌予告及びその他の演出用の背景やキャラクタに関する画像、上がり役を完成したときの演出用の画像等である。
【０１２７】
上記した各制御基板Ｋａ、Ｋｂ、Ｋｃ、Ｋｄに搭載されているゲームの動作を制御するゲーム制御プログラムは、アセンブラ言語、Ｃ言語、あるいはＶｉｓｕａｌ  Ｂａｓｉｃ言語等を利用して開発し、各基板のＣＰＵ４０ａ、４０ｂ、４０ｃ及び４０ｄが実行可能なプログラムである機械語プログラムに翻訳したプログラムが各制御基板Ｋａ、Ｋｂ、Ｋｃ、ＫｄのＲＯＭ４１ａ、４１ｂ、４１ｃ及び４１ｄに記憶されている。
【０１２８】
（ゲームの進行制御）
続いて、遊技者がゲームを実施するときに、本発明の特徴となる雀球遊技機１に搭載されているゲーム制御プログラムがゲームの進行を制御する処理の流れについて説明する。図１４〜図１８は、ゲームの進行を統括して制御するメイン制御基板Ｋａに搭載されているメイン制御プログラムＰ１がゲーム進行を制御するときにその制御の流れを示すフローチャートである。以下、図１４〜図１８に基づいて、１ゲームの制御の流れをステップ順に説明する。
【０１２９】
（ステップＳ１）
まず、遊技店の管理者等は、当日の営業を開始する前に雀球遊技機１の電源をＯＮする。雀球遊技機１の電源がＯＮされると、メイン制御基板Ｋａのメイン制御プログラムＰ１は、メイン制御基板ＫａのＲＡＭ４２ａに設定した所定の記憶領域を初期化する処理を行なう。例えば、電源がＯＮされた後に最初に実施されるゲームは通常遊技の制御モードであるので、ＲＡＭ４２ａに設定したゲーム制御モードフラグに通常遊技を示す「１」を、特別遊技確定フラグに初期値「０」を記憶する処理を行なう。
続いて、メイン制御プログラムＰ１は、電源ＯＮ時の初期化制御コマンドをサブ制御基板Ｋｂに、サブ制御基板Ｋｂはこの初期化制御コマンドを第１及び第２の画像制御基板Ｋｃ、Ｋｄに送信する。
【０１３０】
サブ制御基板Ｋｂ、第１及び第２の画像制御基板Ｋｃ、Ｋｄは、この初期化制御コマンドを受信すると、各制御基板に搭載されているメインプログラムは、ＲＡＭ４２ｂ、ＲＡＭ４２ｃ、ＲＡＭ４２ｄに設定した所定の記憶領域を初期化する。また、第１及び第２の画像制御基板Ｋｃ、Ｋｄに搭載されている各メインプログラムＰ３１及びＰ４１は、初期演出表示プログラムＰ３２ａ−１及びＰ４２ａ−１を作動させて、電源ＯＮ時の演出画面、例えば、背景或いはキャラクタに関する画像を第１及び第２の表示装置１０、１６に表示する等の処理を行う。これにより、雀球遊技機１は、遊技者が１ゲームにつき所定の枚数のメダルをメダル投入口１７に投入することにより、ゲームを実施することが可能な状態になる。
【０１３１】
（ステップＳ２）
遊技者がゲームを行うためには、１ゲームにつき所定の数の遊技媒体、例えば、３枚のメダルをメダル投入口１７に投入する必要がある。メダル投入センサ１７ａからのメダル投入信号がメイン制御基板Ｋａに入力されると、メイン制御プログラムＰ１はメダル管理プログラムＰ２を作動させる。メダル管理プログラムＰ２は、投入されたメダルの枚数を記憶する処理を行う。
【０１３２】
メイン制御プログラムＰ１は、１ゲームの実施に必要なメダルの枚数が投入されたことを判定すると、遊技者に開始ボタン１８の押圧を促すための制御コマンドを、サブ制御基板Ｋｂを経由して第１の画像制御基板Ｋｃに送信する。第１の画像制御基板Ｋｃはこの制御コマンドを受信すると、ゲーム演出表示プログラムＰ３２ａ−２は第１の表示装置１０に、「ゲーム開始ボタンを押してください」と表示する処理を行う。このとき、第２の画像制御基板Ｋｄの音声・効果音出力プログラムＰ４３を作動させて、同時に音声をスピーカー６から出力させるようにしてもよい。
【０１３３】
（ステップＳ３）
遊技者がゲーム開始ボタン１８を押圧して、ゲーム開始信号がメイン制御基板Ｋａに入力されると、メイン制御プログラムＰ１は、ゲーム開始の制御コマンドを、サブ制御基板Ｋｂを経由して第１及び第２の画像制御基板Ｋｃ、Ｋｄに送信する。第１及び第２の画像制御基板Ｋｃ、Ｋｄのゲーム演出表示プログラムＰ３２ａ−２、Ｐ４２ａ−２は、この制御コマンドに基づいて、ゲーム開始時の演出画像を第１及び第２の表示装置１０、１６に表示するとともに、音声・効果音出力プログラムＰ４３により音声をスピーカー６から出力する。このようにして、雀球遊技機１の１ゲームが開始する。
【０１３４】
（ステップＳ４）
続いて、メイン制御プログラムＰ１は、１ゲームの開始に当たって、さらにＲＡＭ４２ａに設定した各種の記憶領域に初期値を記憶する処理を行う。１ゲームに遊技者が自摸牌操作のために遊技球を発射することができる所定の個数（規定個数）を記憶する領域（遊技球の残り個数記憶領域）に初期値として、例えば、「１１」個をＲＡＭ４２ａに記憶する。
さらに、ＲＡＭ４２ａの記憶領域に開示個数カウントテーブルを設定し、その図柄コードごとの開示個数カウント領域に「０」を記憶する、等の初期化処理を行う。また、ステップＳ４においては、ゲーム制御モードフラグに記憶されている情報、すなわち、これから遊技者が実施するゲームの制御モードである通常遊技、チャンスゲーム、ＢＢ１（１０Ｒ）ゲーム、ＢＢ２（３Ｒ）ゲーム、ＣＢゲームを判定して、この制御モードに対応させた演出画面を表示するようにしてもよい。
【０１３５】
（ステップＳ５）
続いて、メイン制御基板Ｋａのメイン制御プログラムＰ１は、自動配牌プログラムＰ４を作動させて、１ゲームの配牌に係る図柄コードを決定し、この決定した配牌データを当該ゲーム開始時の手牌データとしてＲＡＭ４２ａの手牌データ記憶領域に記憶する処理を行う。自動配牌プログラムＰ４がこの配牌データを作成して手牌データ記憶領域に記憶する手順は前記した通りである。
【０１３６】
次に、メイン制御プログラムＰ１は、手牌データ記憶領域に記憶した配牌データを構成する図柄コードを、サブ制御基板Ｋｂを経由して第２の画像制御基板Ｋｄに送信する。サブ制御基板Ｋｂはこれらのデータを受信するとＲＡＭ４２ｂに記憶する。また、第２の画像制御基板Ｋｄはこれらのデータを受信すると、表示装置１６の手牌表示部３４に配牌データを構成する図柄を表示する処理を行う。
【０１３７】
さらに、メイン制御プログラムＰ１は、開示個数カウントプログラムＰ１ｄを作動させて、配牌を構成する図柄の開示個数をカウントする処理を行なう。この開示個数のカウント処理は、１４個の配牌に係る図柄は手牌表示部３４に表示されて当該ゲームの場に開示されることになるで、その図柄コードに対応する個数をカウントして、カウントした個数を開示個数カウントテーブルの開示個数カウント領域に記憶する処理を行う。
【０１３８】
（ステップＳ６）
続いて、メイン制御基板Ｋａのメイン制御プログラムＰ１は、特別遊技役決定プログラムＰ５（但し、通常遊技の遊技を行うときに作動させる）を作動させて、特別遊技役の権利を獲得することができる上がり役を決定する処理を行なう。なお、本実施形態において、遊技者はこの特別遊技役の権利としては、ＢＢゲーム役（ＢＢ１（１０Ｒ）とＢＢ２（３Ｒ））とＣＢゲーム役を実施できる権利を設定した場合について説明するが、ＢＢゲーム役、ＲＢゲーム役及びＣＢゲーム役を実施できる権利を設定してもよい。また、特別遊技役決定プログラムＰ５は、決定した特別遊技の権利を獲得できる上がり役のコードを特別遊技役の種別コード（ＢＢ１（１０Ｒ）ゲーム、ＢＢ２ゲーム（３Ｒ）ゲームとＣＢゲーム役を識別するコード）と関連付けしてＲＡＭ４２ｂに記憶する。
【０１３９】
特別遊技役決定プログラムＰ５が、ＢＢ１（１０Ｒ）ゲーム、ＢＢ２（３Ｒ）ゲーム、及びＣＢゲーム役の権利を獲得することが可能な上がり役を決定する処理手順は、前記した通りである。
【０１４０】
（ステップＳ７）
ドラ抽選プログラムＰ６が備えている表ドラ抽選プログラムと裏ドラ抽選プログラムにより、当該ゲームの表ドラと裏ドラについて各１個の図柄を決定する処理を行なう。表ドラ抽選プログラムが表ドラを決定する処理は、前記した通りである。
【０１４１】
続いて、メイン制御プログラムＰ１は、これら当該ゲームの特別遊技役の権利を獲得することが可能な上がり役のコードと、表ドラの図柄コードを制御コマンドとともにサブ制御基板Ｋｂを経由して第１及び第２の画像制御基板Ｋｃ、Ｋｄに送信する処理を行う。なお、裏ドラの図柄コードは、遊技者がリーチボタン２１を押圧したときに、メイン制御プログラムＰ１の制御により、サブ制御基板Ｋｂを経由して第２の画像制御基板Ｋｄに送信する。
【０１４２】
さらに、メイン制御プログラムＰ１は開示個数カウントプログラムＰ１ｄを作動させて、表ドラとして決定された図柄コードに対応する開示個数カウントテーブルの開示個数カウント領域に「１」を加算する処理を行う。
【０１４３】
なお、サブ制御基板Ｋｂのメイン制御プログラムＰ２１は、メイン制御基板Ｋａから当該ゲームにおいてＢＢゲーム、ＣＢゲームを獲得可能な上がり役のコード、表ドラと裏ドラの図柄コードを受信すると、これらのコードをＲＡＭ４２ｂに記憶する処理を行う。続いて、第１及び第２の画像制御基板Ｋｃ、Ｋｄのメイン制御プログラムＰ３１、Ｐ４１は、第１及び第２の表示装置１０、１６に遊技の開始条件が整ったことを表示し、またスピーカー６から音声で知らせる処理を行うように制御する。
【０１４４】
また、第２の画像制御基板Ｋｄのゲーム演出表示プログラムＰ４２ａ−２は、表ドラの図柄コードを受信するその図柄を、図５に示すように、表ドラ表示部２８に表示する処理を行う。
なお、裏ドラの図柄コードに対応する図柄は、リーチがかかったことを示す制御コマンドと裏ドラの図柄コードがメイン制御基板Ｋａからサブ制御基板Ｋｂを経由して第２の画像制御基板Ｋｄに送信されたときに、第２の画像制御基板Ｋｄのゲーム演出表示プログラムＰ４２ａ−２により、裏ドラ表示部２９に表示される。
【０１４５】
（ステップＳ８）
メイン制御プログラムＰ１は、ＲＡＭ４２ａに設定した特別遊技確定フラグに記憶されているデータをチェックする処理を行う。特別遊技確定フラグに初期値の「０」、又は「１」が記憶されている場合にはステップＳ９に、「２」が記憶されている場合には図１７に示すステップＳ５０に進む。
【０１４６】
（ステップＳ９）
メイン制御プログラムＰ１は、入賞判定プログラムＰ７を作動させて、ステップＳ５の処理で決定されＲＡＭ４２ａの手牌記憶領域に記憶した配牌（手牌）データが、既に上がり役を完成させているか否かを判定する。この上がりの判定においては、入賞判定プログラムＰ７は、前記した手順により配牌データを構成する図柄が、図１０に示す通常の上がり、あるいは特別上がり役の組合せになっているか否かを判定する。そして、上がっていると判定された場合には、図１５に示すステップＳ３０に進む。一方、上がっていないと判定された場合には、メイン制御プログラムＰ１は、捨て牌アシストの制御コマンドをサブ制御基板Ｋｂに送信して、ステップＳ１０に進む。
【０１４７】
一方、サブ制御基板Ｋｂのメイン制御プログラムＰ２１は、メイン制御基板Ｋａから上位した捨て牌アシストの制御コマンドを受信すると、アシストプログラムＰ２３の目標上がり役設定プログラムＰ２３ａを作動させて、ＲＡＭ４２ｂに記憶している現在の手牌データについてその目標とする上がり役を設定する処理を行う。
【０１４８】
続いて、サブ制御基板Ｋｂの捨て牌支援プログラムＰ２３ｂは、目標上がり役設定プログラムＰ２３ａが設定した現在の手牌データの目標上がり役に対して、この手牌から捨て牌とすべき牌を判定する処理を行う。
そして、この捨て牌とすべき牌が判定されると、その図柄コードを捨て牌アシストの制御コマンドとともに、第１の画像制御基板Ｋｃに送信する。第１の画像制御基板Ｋｃはこの捨て牌とすべき牌の図柄コードを受信すると、捨て牌表示プログラムＰ３２ｃ−２を作動させて、この図柄コードの図柄を図６に示すように、捨て牌とすべき図柄として第１の表示装置１０に表示する処理を行う。
【０１４９】
（ステップＳ１０）
ステップＳ１０においては、メイン制御プログラムＰ１の制御により、遊技者が捨て牌用ボタンスイッチ１９ａ、１９ｂ、・・・、１９ｍ、自摸捨て牌用ボタンスイッチ２０の何れかをＯＮしたか否かの入力待ち、すなわち、捨て牌の操作を行うまで待ちの状態に設定する。
【０１５０】
なお、遊技者が手牌から捨て牌の操作を行うとこの手牌は聴牌の状態になり、かつ、残り遊技球が１個以上あるときに、この不要な牌を捨てる操作を行う前にリーチボタン２１を操作してリーチをかけると、次の自摸牌操作で自摸した牌が上がり役を完成しないときは、この自摸牌は捨て牌用ボタンスイッチ１９ａ等を押圧しなくてもメイン制御プログラムＰ１により自動的に捨て牌の処理が行われる。また、遊技者がリーチボタン２１を押圧すると、メイン制御プログラムＰ１は、ＲＡＭ４２ａに設定したリーチフラグに「１」を記憶する処理を行う。
【０１５１】
（ステップＳ１１）
遊技者が捨て牌の操作を行って、捨て牌用ボタンスイッチ１９ａ等の何れかから捨て牌信号が入力されると、メイン制御プログラムＰ１はその入力信号を解析して、遊技者が捨て牌とした図柄の図柄コードを判定する処理を行う。次に、メイン制御プログラムＰ１は、ＲＡＭ４２ａの手牌記憶領域に記憶している手牌データからこの捨て牌の図柄コードを削除する処理を行う。
さらに、メイン制御プログラムＰ１は、この捨て牌の図柄コードと、この捨て牌の図柄コードを削除して更新処理を行なった手牌データを、サブ制御基板Ｋｂに送信する。
【０１５２】
一方、サブ制御基板Ｋｂのメイン制御プログラムＰ２１は、メイン制御基板Ｋａから捨て牌の図柄コードと更新された手牌データを受信すると、これらの情報を第２の画像制御基板Ｋｄに送信する処理を行うとともに、この更新された手牌データをＲＡＭ４２ｂに記憶した後、目標上がり役設定プログラムＰ２３ａを作動させる。
【０１５３】
また、第２の画像制御基板Ｋｄは、サブ制御基板Ｋｂから捨て牌の図柄コードと更新された手牌データを受信すると、図５に示す表示画面の手牌表示部３４に受信した１３個の手牌データの図柄を表示し、さらに、自摸牌表示部３５には図５に示すように牌の裏側の画像を表示する。
【０１５４】
サブ制御基板Ｋｂの目標上がり役設定プログラムＰ２３ａは、上記によりＲＡＭ４２ｂに記憶した更新された手牌データに基づいて、この手牌の目標上がり役を設定する処理を行う。続いて、自摸牌支援プログラムＰ２３ｃが作動して、この目標上がり役に対して自摸すべき適切な牌の図柄を判定する処理を行う。そして、自摸牌支援プログラムＰ２３ｃが判定した自摸すべき牌の図柄コードは、メイン制御プログラムＰ２１により第１の画像制御基板Ｋｃに送信される。
【０１５５】
第１の画像制御基板Ｋｃは、サブ制御基板Ｋｂから自摸すべき牌の図柄コードを受信すると、自摸牌表示プログラムＰ３２ｃ−１を作動させて、この図柄コードの図柄を自摸すべき牌として、第１の表示装置１０に表示する処理を行う。遊技者は、第１の表示装置１０に表示された自摸すべき牌の図柄を見て、次の自摸牌操作で遊技球を入球すべき入球口を、事前に認識することができるようになる。
【０１５６】
（ステップＳ１２）
メイン制御プログラムＰ１は、遊技者が自摸牌操作を行うまでの待ちの状態、すなわち、遊技者が遊技球発射レバー４を操作して１個の遊技球を発射し、この遊技球が入球口１３ａ等の何れかに入球し、入球センサから入球信号が入力されるまで待ちの状態に設定する。
【０１５７】
（ステップＳ１３）
メイン制御プログラムＰ１は、遊技球が入球した入球口の入球センサから入球信号が入力されると、遊技球残り個数カウントプログラムＰ１ｃを作動させて、ＲＡＭ４２ａの記憶領域に記憶している遊技球の残り個数を１個減算する処理を行う。
【０１５８】
（ステップＳ１４）
メイン制御プログラムＰ１は、入力信号解析プログラムＰ１ａを作動させて、入球口に入球した遊技球を検出する入球センサからの入球信号を解析し、遊技球が入球した入球口の牌の図柄コード、すなわち、自摸牌の図柄コードを求め、この求めた図柄コードをＲＡＭ４２ａに記憶する処理を行う。
【０１５９】
続いて、メイン制御プログラムＰ１は、上記処理で求めた自摸牌の図柄コードについて、ＲＡＭ４２ａに設定した開示個数カウントテーブルの開示個数カウント領域の記憶内容が、予め設定した開示個数の上限個数、例えば「４個」に達しているか否かを判定する。この判定の結果、上限個数Ｋに達していない場合には、この自摸牌を有効な自摸牌と判定してその図柄コードをＲＡＭ４２ａに設定した手牌記憶領域の手牌データに加えて、手牌データを構成する図柄コードを図柄コード順に並び替えて記憶し直す手牌データの更新処理を行う。一方、自摸牌の図柄コードの開示個数が上限個数に達している場合には、メイン制御プログラムＰ１は遊技者に再度自摸操作を行わせるための制御を行う。
【０１６０】
続いて、メイン制御プログラムＰ１は、この自摸牌の図柄コードを、サブ制御基板Ｋｂを経由して第２の画像制御基板Ｋｄに送信する処理と、開示個数カウントプログラムＰ１ｄを作動させて、この自摸牌の図柄コードについて、ＲＡＭ４２ａに設定した開示個数カウントテーブルに記憶されているこの自摸牌に相当する図柄コードの開示個数カウント領域を「１」加算して記憶する処理を行う。
第２の画像制御基板Ｋｄは、サブ制御基板Ｋｂから自摸牌の図柄コードを受信すると、ゲーム演出表示プログラムＰ４２ａ−２により、受信した図柄コードに係る図柄を表示装置１６の自摸牌表示部３５に表示する処理を行う。
【０１６１】
続いて、メイン制御プログラムＰ１は、上記手順で更新処理を行なった手牌データをサブ制御基板Ｋｂに送信する。サブ制御基板Ｋｂは、この受信した手牌データをＲＡＭ４２ｂに記憶するとともに、第２の画像制御基板Ｋｄに送信する処理を行う。
サブ制御基板Ｋｂはこの手牌データを受信すると、前述のように、目標上がり役設定プログラムＰ２３ａと捨て牌支援プログラムＰ２３ｂを作動させて、受信した手牌データから捨て牌とすべき図柄コードを選択する処理を行う。
【０１６２】
（ステップＳ１５）
前記したステップＳ９と同様に、入賞判定プログラムＰ７により、ＲＡＭ４２ａに記憶している手牌データが上がり役を完成しているか否かを判定する処理を行う。そして、上がり役を完成していると判定された場合には、図１５に示すステップＳ３０に進む。一方、上がり役を完成していないと判定された場合には、次のステップＳ１６に進む。
【０１６３】
（ステップＳ１６）
メイン制御プログラムＰ１は、遊技者はさらに自摸牌操作を行うことが可能か、すなわち、ＲＡＭ４２ａに記憶している発射可能な遊技球が１個以上残っているか否かを判定する処理を行う。そして、この判定の結果、遊技球が１個以上残っている場合には、ステップＳ１０に戻る。一方、発射可能な遊技球が０個の場合には、当該ゲームは流局となって終了するので、次のステップＳ１７に進む。
【０１６４】
（ステップＳ１７）
ＲＡＭ４２ａに設定したゲームの制御モードを記憶するゲーム制御モードフラグに、通常遊技を示す情報「１」を、同じく、連続上がり回数Ｒを記憶する領域に初期値「０」を記憶する処理を行なう。
【０１６５】
（ステップＳ１８）
ゲーム履歴データ記録プログラムＰ１０により、遊技者が今回実施したゲームの履歴データを、ＲＡＭ４２ａの履歴データ領域に追加して記録する処理と、履歴データを更新する処理を行う。このＲＡＭ４２ａに記憶するゲーム結果の履歴データは、前記したゲーム履歴データ記録プログラムＰ１０の処理内容で説明したデータ項目である。
【０１６６】
（ステップＳ１９）
１ゲームの終了、すなわち、遊技球の規定個数に相当する自摸牌操作を行っても上がることができなかったので流局に対する処理を行なって、ステップＳ２に戻る制御を行なう。この処理としては、残り遊技球の個数、リーチフラグ、開示個数カウントテーブルの開示個数カウント領域等のデータ領域に初期データを記憶する初期化処理を行う。また、ゲーム終了の制御コマンドを、サブ制御基板Ｋｂを経由して第１及び第２の画像制御基板Ｋｃ、Ｋｄに送信する処理を行う。第１及び第２の画像制御基板Ｋｃ、Ｋｄは、ゲーム終了の制御コマンドを受信すると、その旨を第１及び第２の表示装置１０、１６に表示する処理を行う。
【０１６７】
（ステップＳ３０）
メイン制御プログラムＰ１は、入賞判定プログラムＰ７を作動させて、手牌データが如何なる上がり役を完成させているかを判定し、その上がり役のコードをＲＡＭ４２ａに記憶する。
【０１６８】
（ステップＳ３１）
メイン制御プログラムＰ１は、遊技者が完成させた上がり役のコードが、当該ゲームの開始時に特別遊技役決定プログラムＰ５が決定した特別遊技役、すなわち、ＢＢ１（１０Ｒ）ゲーム、ＢＢ２（３Ｒ）ゲーム又はＣＢゲームを獲得することができる上がり役のコードに一致するか否かを判定する処理を行う。この判定の結果、ＢＢ１（１０Ｒ）ゲーム役、ＢＢ２（３Ｒ）ゲーム役又はＣＢゲーム役の対象となる上がり役のコードと一致する場合には、ステップＳ３６に進む。一方、上がり役が特別遊技役の権利を獲得できる上がり役でない場合には、次のステップＳ３２に進む。
【０１６９】
（ステップＳ３２）
特別遊技確定フラグに「１」、すなわち、特別遊技役の権利が仮確定したことを示す情報が記憶されているか否かを判定する。この判定の結果、「１」が記憶されている場合にはステップＳ３３に進み、「０」（通常遊技の制御モード）」が記憶されていると図１６に示すステップＳ３８に進む。
【０１７０】
（ステップＳ３３）
ＲＡＭ４２ａに設定した連続上がり回数Ｒをカウントする処理、すなわち、連続上がり回数Ｒを「＋１」する処理を行なう。この連続上がり回数Ｒは、前記したように、ゲームの制御モードがチャンスゲームのときに、遊技者が連続して上がりを完成した回数を示す。このステップＳ３３の処理は、連続上がり回数カウント手段となる。
【０１７１】
（ステップＳ３４）（ステップＳ３５）
連続上がり回数Ｒが予め設定した値Ｓに達しているか否かを判定する。このステップＳ３４の処理は、ゲームの制御モードがチャンスゲームのモードで実施されたゲームが連続して上がりを完成し、その連続上がり回数Ｒが予め設定した所定値Ｓに達しているか否かを判定することを示す。このＳ値は、仮確定した特別遊技の実施権利を「確定」と判定するための「所定の条件」を示す。
【０１７２】
また、この所定値Ｓは、特別遊技役のＢＢ１（１０Ｒ）ゲーム、ＢＢ２（３Ｒ）ゲームごとに予め適切な値を設定しておく。例えば、ＢＢ１（１０Ｒ）ゲームでは「３」、ＢＢ２（３Ｒ）ゲームでは「１」を設定する。
【０１７３】
ステップＳ３４の判定処理の結果、連続上がり回数Ｒが予め設定した値Ｓに達している場合には、ステップＳ３５に進む。ステップＳ３５においては、特別遊技役の権利が確定したと判定して、ＲＡＭ４２ａに設定した特別遊技確定フラグに「２」を記憶する処理と、アタッカー作動口１２を有効化する処理を行なって図１６に示すステップＳ３８に進む。なお、アタッカー作動口１２を有効化する処理とは、遊技者が発射した遊技球がアタッカー作動口１２に入球して通過すると、この遊技球の通過を検出するセンサからの検出信号がメイン制御基板Ｋａへ入力されることを有効にする処理を示す。そして、メイン制御プログラムＰ１は、この検出信号が入力されると、アタッカー１１を開口する制御を行なう。従って、ステップＳ３５により、アタッカー作動口１２が有効化されるので、遊技者は次のゲームを実施して、発射した遊技球がアタッカー作動口１２に入球すると、アタッカー１１が開口することになる。
【０１７４】
ステップＳ３５の処理において、特別遊技確定フラグに「２」を記憶することは、遊技者が次のゲームを実施するときには、メイン制御基板Ｋａのメイン制御プログラムＰ１は特別遊技役の制御モードでゲームの進行を制御すること、すなわち、遊技者は特別遊技役のゲームを実施できることを示す。なお、特別遊技確定フラグに「２」が記憶されているか否かの判定は、前記したステップＳ８の処理で行なう。ステップＳ８の処理において特別遊技確定フラグに「２」が記憶されていると、図１７に示すステップＳ５０からステップＳ５１に進んで、メイン制御プログラムＰ１は、ＢＢゲーム役のゲームの進行制御を実行する。なお、このステップＳ３５の処理は、特別遊技確定手段となる。
【０１７５】
（ステップＳ３６）
ステップＳ３１の判定結果に基づいて、ＢＢ１（１０Ｒ）ゲームを獲得できる上がり役を完成させた場合にはＲＡＭ４２ａに設定した特別遊技フラグに「１」を、同じくＢＢ２（３Ｒ）ゲームを獲得できる上がり役を完成させた場合には「２」を、同じくＣＢゲームを獲得できる上がり役を完成させた場合には「３」を記憶する処理を行なう。なお、特別遊技フラグに記憶する情報は、例えば、特別遊技役を種別するコードを記憶する。さらに、特別遊技確定フラグに、特別遊技役の実施権利が仮確定（内定）したことを示す情報として「１」を記憶する処理を行なう。上記したステップＳ３１からステップＳ３６の処理において、特別遊技確定フラグに、特別遊技役の実施権利が仮確定したことを示す情報として「１」を記憶する処理は、特別遊技仮確定手段となる。
【０１７６】
（ステップＳ３７）
ゲーム制御モードフラグに「２」、すなわち、次のゲームの制御をチャンスゲームの制御モードで制御することを示す情報を記憶する処理を行なって、ステップＳ３８に進む。
【０１７７】
（ステップＳ３８）
メイン制御プログラムＰ１は、まず、上がり役完成の演出表示を行うための制御コマンドを第１及び第２の画像制御基板Ｋｃ、Ｋｄに送信する。この制御コマンドを受信すると、第１の画像制御基板Ｋｃは、ゲーム演出表示プログラムＰ３２ａ−２又は権利獲得演出表示プログラムＰ３２ｂ−１により、第１の表示装置１０に上がり役完成の演出表示を行う。同様に、第２の画像制御基板Ｋｄはゲーム演出表示プログラムＰ４２ａ−２により、第２の表示装置１６に上がり役完成の演出表示を行う。
【０１７８】
続いて、図１０に示す上がり役別入賞メダル枚数テーブルを参照して、遊技者が完成させた上がり役のコードに対応する入賞メダル数、すなわち、遊技者がこの上がり役に対して獲得できる入賞に伴う獲得メダル枚数（Ｍ）を求める処理を行う。
【０１７９】
続いて、ステップＳ３９からステップＳ４１においては、遊技者が上がり役を完成させたときの上がり条件を判定して、遊技者が、上記入賞に伴う獲得メダル数（Ｍ）に、さらに増加メダル枚数を獲得できるか否かを判定する処理を行う。そして、増加メダル枚数を獲得できると判定された場合には、この増加メダル枚数を求める処理を行う。これにより、遊技者は入賞に伴う獲得メダル枚数（Ｍ）と、上がり役を完成させたときの上がり条件によって、さらに、この増加メダル枚数を獲得することが可能になる。
【０１８０】
（ステップＳ３９）
上がり役を完成させたときの上がり条件として、特別遊技による得点増加手段、すなわち、上がり役がアタッカー作動口１２を有効化した後の特別遊技により完成されていると、特別遊技による得点増加プログラムＰ１１ａにより上がり役のコードに応じた増加メダル数（ａ）を求め、この増加メダル数（ａ）をＲＡＭ４２ａに記憶する処理を行う。
【０１８１】
（ステップＳ４０）
上がり役を完成させたときの上がり条件として、ドラ牌による得点増加手段、即ち、上がり役を完成させた手牌に表ドラと、遊技者がリーチをかけているときに手牌に裏ドラが含まれていると、この表ドラと裏ドラの個数に応じた増加メダル枚数（ｂ）を求め、この増加メダル枚数（ｂ）をＲＡＭ４２ａに記憶する処理を行う。
このステップＳ４０においては、メイン制御プログラムＰ１がドラ牌による得点増加プログラムＰ１１ｂを作動させる。そして、ドラ牌による得点増加プログラムＰ１１ｂは、まず、ＲＡＭ４２ａに記憶されている上がりを完成させた手牌データに含まれている表ドラの図柄コードの個数を判定し、その個数をＲＡＭ４２ａに記憶する。
【０１８２】
次に、ＲＡＭ４２ａに設定したリーチフラグの設定内容をチェックする。その結果、「１」が記憶されていると遊技者はリーチをかけていたので、上がり役を完成させた手牌データに含まれている裏ドラの図柄コードの個数を判定し、その個数をＲＡＭ４２ａに記憶する処理を行う。そして、この表ドラと裏ドラの合計個数を求め、表ドラ、裏ドラの各１個について増加させるメダル枚数、例えば３枚、を乗算することにより、ドラ牌による増加メダル枚数（ｂ）を求めることができる。
【０１８３】
上記したドラ牌による得点増加プログラムＰ１１ｂが手牌データに含まれているドラ牌の個数を判定する処理は、ＲＡＭ４２ａに記憶している当該ゲームの表ドラ、裏ドラの図柄コードが、上がり役を完成した手牌データに含まれているか否かを順次判定しその個数を算出することにより可能である。
【０１８４】
（ステップＳ４１）
メイン制御プログラムＰ１は、遊技者が上がり役を完成することにより獲得できるメダルの合計枚数（Ｓ）を求める処理を行う。このメダル合計枚数（Ｓ）は、（入賞に伴う獲得メダル枚数（Ｍ）＋特別遊技による増加メダル枚数（ａ）＋ドラ牌による増加メダル枚数（ｂ））になる。求めたメダルの合計枚数（Ｓ）はＲＡＭ４２ａに記憶する。
【０１８５】
（ステップＳ４２）
メイン制御基板Ｋａのメイン制御プログラムＰ１は、上がり役完成の制御コマンドとともに、上がり役のコード、遊技者が獲得したメダル合計枚数（Ｓ）及び入賞獲得メダル枚数（Ｍ）と増加メダル枚数の内訳等に関するデータを、サブ制御基板Ｋｂを経由して第１及び第２の画像制御基板Ｋｃ、Ｋｄに送信する処理を行う。第１及び第２の画像制御基板Ｋｃ、Ｋｄのゲーム演出表示プログラムＰ３２ａ−２、Ｐ４２ａ−２は、これらの情報を受信すると、第１及び第２の表示装置１０、１６に上がり役完成の演出表示を行う。
【０１８６】
（ステップＳ４３）
メイン制御プログラムＰ１は、メダル払出制御プログラムＰ８を作動させて、メダル払出装置から前記したメダル合計枚数（Ｓ）を、遊技者に払い出す処理を行う。
【０１８７】
（ステップＳ４４）（ステップＳ４５）
メイン制御プログラムＰ１は、ゲーム履歴データ記録プログラムＰ１０を作動させて、遊技者が今回実施したゲームの履歴データを、ＲＡＭ４２ａの履歴データ記憶領域に追加、更新して記録する処理を行う（ステップＳ４４）。続いて、前記ステップＳ１９と同様にゲーム終了の処理（ステップＳ４５）を行って、ステップＳ２に戻るように制御する。
【０１８８】
（ステップＳ５０）
特別遊技種別フラグに記憶されている情報を判定する処理を行なう。この判定の結果、「１」又は「２」が記憶されていると次のステップＳ５１に進み、「３」が記憶されていると図１８に示すステップＳ７０に進む。
【０１８９】
（ステップＳ５１）
図１７に示すステップＳ５１〜ステップＳ５９の処理は、ＢＢ１（１０Ｒ）ゲームまたはＢＢ２（３Ｒ）ゲーム役の権利を獲得したゲームの進行制御の一例を示すフローチャートである。遊技者は、ＢＢ１（１０Ｒ）ゲームまたはＢＢ２（３Ｒ）ゲームの権利を獲得したゲームを実行しているので、メイン制御プログラムＰ１は、ステップＳ５１の初めに、ＲＡＭ４２ａに設定した特別遊技フラグの記憶内容（ステップＳ３６で記憶処理）を判定する。そして、特別遊技フラグに「１」が記憶されていると、ＲＡＭ４２ａにＢＢ１（１０Ｒ）ゲームの継続回数（ビッグゲーム継続回数）として「１０」を、また、特別遊技フラグに「２」が記憶されていると、ＢＢ２（３Ｒ）ゲームのビッグゲーム継続回数として「３」をＲＡＭ４２ａに記憶する処理を行なう。
【０１９０】
続いて、ＢＢ１（１０Ｒ）ゲーム役またはＢＢ２（３Ｒ）ゲーム役の権利を獲得したゲームの進行制御を行う。このゲーム進行の制御は、前記した図１４に示すステップＳ６を除いたステップＳ２からステップＳ１６の流れになるが、ステップＳ１２の自摸操作は、遊技者にとって有利な操作になるようにする。
【０１９１】
ＢＢ１（１０Ｒ）ゲーム役またはＢＢ２（３Ｒ）ゲーム役の権利を獲得したゲームにおいて、遊技者にとって有利な自摸操作の制御を実施する方法について説明すると次のようになる。
すなわち、遊技者がゲーム役またはＢＢ２（３Ｒ）ゲーム役の権利を獲得したゲーム次のゲームは、ゲーム開始時の配牌が決定した後、遊技盤２のアタッカー作動口１２に、遊技者が発射した遊技球が入球すると、アタッカー１１が開口する。続いて、遊技者が発射した遊技球がこのアタッカー１１に入球するごとに、メイン制御基板Ｋａの入力信号解析プログラムＰ１ａと第２の画像制御基板Ｋｄの自摸牌候補選択支援プログラムＰ４２ｂ−１の制御に基づいて第２の表示装置１６に、例えば、自摸牌選択支援画面を表示して、遊技者は所望する牌を自摸牌として選択できるように制御する。なお、自摸牌候補選択支援プログラムＰ４２ｂ−１を第１の画像制御基板ＫｃのＲＯＭ４１ｃに記憶して、自摸牌選択支援画面を表示装置１０に表示する処理を行なってもよい。この自摸牌選択支援画面としては、例えば、本出願人が先に出願した特開２００７−２４４７５８号公報の図２０に示す自摸牌選択支援画面を採用することができる。
【０１９２】
遊技者が、自摸牌選択支援画面を利用して所望する牌を自摸牌として選択するための操作は、次の通りである。自摸牌選択支援画面にはゲームで使用する２７種の図柄が、右シフトボタン２２ａ、又は左シフトボタン２２ｂを押圧することにより順次スクロールし、自摸牌として選択したい図柄が特定の表示領域に表示されたときに、選択決定ボタン２３を押圧すると、遊技者はこの表示領域に表示された図柄を自摸牌として取得することができる。
【０１９３】
本発明の雀球遊技機は、ＢＢ１ゲーム（１０Ｒ）又はＢＢ２ゲーム（３Ｒ）の権利を獲得したゲームにおいて、上記のように自摸牌選択支援画面を利用して遊技者にとって有利な自摸操作手段を備えている。なお、ステップＳ５１の処理において、上がり役を完成させていると判定されるとステップＳ５２に進み、流局になった場合にはステップＳ５８に進む。
【０１９４】
（ステップＳ５２）
ＢＢゲームの権利を獲得したゲームを実施して上がり続けると、予め設定した上限回数、例えば、ＢＢ１（１０Ｒ）ゲームでは１０回、ＢＢ２（３Ｒ）ゲームでは３回まで特別遊技役のゲームを継続して行うことができる。ステップＳ５２では、ＲＡＭ４２ａに設定したビッグゲーム継続回数（ＢＢゲーム継続回数）をカウントする領域に「１」を加算する。
【０１９５】
（ステップＳ５３）〜（ステップＳ５６）
ステップＳ５３からステップＳ５６の処理内容は、前記したステップＳ３１を除いたステップＳ３０からステップＳ４３の処理と同じ処理を行う。
【０１９６】
（ステップＳ５７）〜（ステップＳ５９）
ステップＳ５７においては、ＲＡＭ４２ａに記憶しているＢＢゲーム継続回数が、予め設定された上限回数を超えたか否かを判定する。この判定は、ステップＳ５２でカウントしてＲＡＭ４２ａに記憶したＢＢゲーム継続回数と、ＲＯＭ４１ａに予め記憶している上限回数、例えば、ＢＢ１（１０Ｒ）ゲームのときには「１０」、ＢＢ２（３Ｒ）ゲームのときには「３」と比較する処理を行う。そして、ビッグゲーム継続回数がこの上限回数を超えている場合には、ステップＳ５８に進む。ステップＳ５８では特別遊技終了の処理として、特別遊技確定フラグに「０」を記憶する処理を行い、ステップＳ５９に進む。一方、上限回数に達していない場合にはステップＳ５９に進んで、遊技者が今回実施したゲームの履歴データを、ＲＡＭ４２ａの履歴データ記憶領域に追加して記録する処理と、履歴データを更新する処理を行う。
【０１９７】
（ステップＳ７０）
図１８は、ＣＢゲームの権利を獲得したゲームの制御を行なうときのフローチャートを示している。遊技者がＣＢゲームの権利を獲得したゲームを実施して上がりを完成させると、メイン制御基板Ｋａのメイン制御プログラムＰ１は、ステップＳ７０において遊技球残り個数カウントプログラムＰ１ｃを作動させて遊技球の残り個数が「０」であるか否かを判定する処理を行う。
【０１９８】
この判定の結果、遊技球の残り個数が「０」であると判定された場合は、ステップＳ３８に進む。このとき、特別遊技による得点増加プログラムＰ１１ａの作動条件が「ＣＢゲーム役が成立すること」に設定されている場合は特別遊技による得点増加プログラムＰ１１ａが作動して、特別遊技による増加メダル数（ａ）を求める処理（図１６のステップＳ３９）が行われるが、特別遊技による得点増加プログラムＰ１１ａの作動条件が「ＣＢゲーム役の成立後、遊技球をアタッカー作動口に通過させ、アタッカーを開口すること」又は「アタッカーを開口させ、遊技球をアタッカーに入球させること」に設定されている場合は当該ゲームのＣＢゲームの権利は失効する。遊技球の残り個数が０でないと判定された場合は、ステップＳ７１に進む。
【０１９９】
（ステップＳ７１）
ステップＳ７１においては、遊技者が当該ゲームを終了させる操作（ゲーム終了ボタン２４、メダル払出ボタン２５、ゲーム開始ボタン１８の押圧操作等）を行ったか否かを判定する処理を行う。この判定の結果、遊技者が何らかの当該ゲームを終了させる操作を行ったと判定された場合は、ステップＳ３２に進む。このステップＳ７１においても、上記ステップＳ７０と同様に、特別遊技による得点増加プログラムＰ１１ａの作動条件が「ＣＢゲーム役が成立すること」に設定されている場合は特別遊技による得点増加プログラムＰ１１ａが作動して、特別遊技による増加メダル数（ａ）を求める処理（図１６のステップＳ３９）が行われるが、特別遊技による得点増加プログラムＰ１１ａの作動条件が「ＣＢゲーム役の成立後、遊技球をアタッカー作動口１２を通過させ、アタッカーを開口すること」又は「アタッカーを開口させ、遊技球をアタッカーに入球させること」に設定されている場合は当該ゲームのＣＢゲームの権利は失効する。遊技者が当該ゲームを終了させる操作を行っていないと判定された場合は、ステップＳ７２に進む。
【０２００】
（ステップＳ７２）
このステップＳ７２においては、上記した図１４のステップＳ１０と同様の処理を行う。
【０２０１】
（ステップＳ７３）
遊技者が捨て牌の操作を行って、捨て牌用ボタンスイッチ１９ａ等の何れかから捨て牌信号が入力されると、メイン制御プログラムＰ１の処理によりアタッカー作動口１２が有効化され、ステップＳ７４へ進む。
【０２０２】
（ステップＳ７４）〜（ステップＳ７８）
ステップＳ７４〜ステップＳ７８においては、図１４のステップＳ１１〜ステップＳ１５と同様の処理を行い、ステップＳ７８において手牌データが上がり役を完成させていると判定された場合は、ステップＳ７９に進む。ステップＳ７８において手牌データが上がり役を完成させていないと判定された場合は、ステップＳ８０に進む。
【０２０３】
（ステップＳ７９）
このステップＳ７９においては、遊技者が完成させた上がり役を判定する処理を行い図１６のステップＳ３８に進む。
【０２０４】
（ステップＳ８０）
このステップＳ８０においては、遊技球の残り個数が０であるか否かを判定する処理を行い、遊技球の残り個数が０である場合はステップＳ８１に進み、遊技球の残り個数が０でない場合はステップＳ７２に戻る。
【０２０５】
（ステップＳ８１）、（ステップＳ８２）
メイン制御プログラムＰ１は、ゲーム履歴データ記録プログラムＰ１０を作動させて、遊技者が今回実施したゲームの履歴データを、ＲＡＭ４２ａの履歴データ記憶領域に追加、更新して記録する処理を行う（ステップＳ８１）。続いて、前記ステップＳ１７と同様にゲーム終了の処理（ステップＳ８２）を行って、ステップＳ２に戻るように制御する。
【０２０６】
本発明にかかる雀球遊技機１に搭載されているゲーム制御プログラムは、上記したステップを実行して１ゲームの進行を制御する。
【０２０７】
なお、上記した本発明の実施形態において、特別遊技役の権利が仮確定したと判定したゲームの次のゲーム（チャンスゲーム）から、予め設定した所定の回数ほど連続して上がりが完成されと、メイン制御基板Ｋａのメイン制御プログラムＰ１は仮確定した特別遊技役の権利を確定と判定する例について説明したが、例えば、チャンスゲームの初回は流局であっても次のゲームから予め設定した所定の回数ほど連続して上がりが完成されと仮確定した特別遊技役の権利を確定と判定する手段を採用してもよい。
【０２０８】
また、仮確定した特別遊技の権利を確定と判定する連続上がり回数Ｒの値（前記したＳ値）は、次の手段を採用してもよい。
【０２０９】
メイン制御基板Ｋａのゲーム制御プログラムとして、例えば、「１」以上、又は「０」以上であって所定の整数値以下の整数の一つを、乱数発生手段を利用して任意に選択する整数選択プログラム（整数選択手段）を備えておく。
【０２１０】
そして、遊技者が特別遊技役の権利を仮獲得すると、メイン制御基板Ｋａのゲーム制御プログラムは整数選択プログラムを作動させて、上記したＳ値を決定する処理を行なう。例えば、「３」以下の整数値を任意に抽選により決定する場合には、「０」、「１」、「２」、「３」の何れかを抽選するための演出画面を第１の表示装置１０に表示する。そして、この抽選により「０」が決定されると、遊技者は次のゲームから特別遊技役のゲームを実施することができるようにすると、遊技者に対してゲーム実施の興趣をより高めた雀球遊技機を提供することができる。
【０２１１】
また、遊技者が通常遊技のゲームを実施して特別遊技役の権利を獲得できる上がり役を完成すると、ゲーム制御プログラムは上記した特別遊技役のゲームの実施について「仮確定」とするか、あるいは「確定」とするかを、抽選により決定する手段を採用してもよい。そして、「仮確定」と決定すると、ゲーム制御プログラムは前記したゲームの制御を実行し、「確定」と決定すると、遊技者は次のゲームから特別遊技役のゲームを実施できるように制御する。
【０２１２】
さらに、本発明の雀球遊技機は、次の手段を採用してもよい。特別遊技役決定プログラムＰ５は、ＢＢ１（１０Ｒ）ゲーム役の権利を獲得することが可能な上がり役として、予め選定された複数種の上がり役から２種を抽選により決定する。そして、遊技者が通常遊技のゲームを実施して特別遊技役（ＢＢ１（１０Ｒ）ゲーム役）の権利を獲得できる2種の上がり役のうち、予め設定した一方の上がり役（例えば、「国士無双」）を完成させると、次のゲームからＢＢ１（１０Ｒ）ゲーム役のゲームを実施できるようにする。一方、特別遊技役（ＢＢ１（１０Ｒ）ゲーム役）の権利を獲得できる2種の上がり役のうち、予め設定された他方の上がり役（例えば、「清老頭」）を完成させると、前記したようにゲーム制御プログラムは「仮確定」と決定する処理を行なうようにする。また、特別遊技役の（ＢＢ２（３Ｒ）ゲーム役についても、これと同じ制御を行なうようにしてもよい。このような手段を採用すると、ゲームの進行についてより変化に富んだ雀球遊技機を提供することができるようになる。
【図面の簡単な説明】
【０２１３】
【図１】本発明の一実施形態に係る雀球遊技機の前面部の構成例を示す正面図である。
【図２】図１に示す雀球遊技機における遊技盤の構成例を示す正面図である。
【図３】図２に示す遊技盤の下部に設置されている入球口とその牌の図柄の配置例を示す図である。
【図４】図１に示す雀球遊技機における操作パネルの構成例を説明するための正面図である。
【図５】図１に示す第２の表示装置に表示する画面例を説明するための図である。
【図６】図２に示す第１の表示装置に捨て牌とすべき図柄を表示した画面例を示す図である。
【図７】本発明の一実施形態に係る雀球遊技機の動作を制御する制御基板の構成を示す図である。
【図８】図７に示すメイン制御基板に搭載されているプログラムの構成例を示す図である。
【図９】本発明の一実施形態に係る雀球遊技機に用いられる麻雀牌の図柄と、この図柄に設定されている図柄コードとの関係を示す牌の図柄コードテーブルの構成例を説明するための図である。
【図１０】本発明の一実施形態に係る雀球遊技機において、予め設定された上がり役の名称とそのコード、及びこの上がり役を完成させたときの入賞に伴う獲得メダル枚数を示す上がり役別入賞メダル枚数テーブルの構成例を示す図である。
【図１１】図７に示すサブ制御基板に搭載されているプログラムについて、その構成例を示す図である。
【図１２】図７に示す第１の画像制御基板に搭載されているプログラムについて、その構成例を示す図である。
【図１３】図７に示す第２の画像制御基板に搭載されているプログラムについて、その構成例を示す図である。
【図１４】本発明の一実施形態に係る雀球遊技機について、ゲーム進行の制御の流れを示すフローチャートである。
【図１５】本発明の一実施形態に係る雀球遊技機について、ゲーム進行の制御の流れを示すフローチャートである。
【図１６】本発明の一実施形態に係る雀球遊技機について、ゲーム進行の制御の流れを示すフローチャートである。
【図１７】本発明の一実施形態に係る雀球遊技機について、ゲーム進行の制御の流れを示すフローチャートである。
【図１８】本発明の一実施形態に係る雀球遊技機について、ゲーム進行の制御の流れを示すフローチャートである。
【符号の説明】
【０２１４】
１…雀球遊技機
２…遊技盤
３…操作パネル
４…遊技球発射レバー
１０…第１の表示装置（報知手段）
１１…アタッカー（特別入球口）
１２…アタッカー作動口
１３ａ、１３ｂ、１３ｃ、・・・…入球口
１６…第２の表示装置
１８…ゲーム開始ボタン
１９ａ、１９ｂ、１９ｃ、・・・、１９ｍ…捨て牌用ボタンスイッチ
２１…リーチボタン
３４…手牌表示部
３５…自摸牌表示部
Ｋａ…メイン制御基板（主制御手段）
Ｋｂ…サブ制御基板（副制御手段）
Ｋｃ…第１の画像制御基板（副制御手段）
Ｋｄ…第２の画像制御基板（副制御手段）
４０ａ、４０ｂ、４０ｃ、４０ｄ…ＣＰＵ
４１ａ、４１ｂ、４１ｃ、４１ｄ…ＲＯＭ（記憶装置）
４２ａ、４２ｂ、４２ｃ、４２ｄ…ＲＡＭ（記憶装置）
Ｐ５…特別遊技役決定プログラム
Ｐ６…ドラ抽選プログラム
Ｐ７…入賞判定プログラム
【図１】
2010046392.tif 000003
【図２】
2010046392.tif 000004
【図３】
2010046392.tif 000005
【図４】
2010046392.tif 000006
【図５】
2010046392.tif 000007
【図６】
2010046392.tif 000008
【図７】
2010046392.tif 000009
【図８】
2010046392.tif 000010
【図９】
2010046392.tif 000011
【図１０】
2010046392.tif 000012
【図１１】
2010046392.tif 000013
【図１２】
2010046392.tif 000014
【図１３】
2010046392.tif 000015
【図１４】
2010046392.tif 000016
【図１５】
2010046392.tif 000017
【図１６】
2010046392.tif 000018
【図１７】
2010046392.tif 000019
【図１８】
2010046392.tif 000020